(57)【要約】【課題】効率的に下りリンク信号を伝送することができる【解決手段】端末装置は、第１の物理チャネル、前記第１の物理チャネルに関連する第１の参照信号、第２の物理チャネル、および、前記第２の物理チャネルに関連する第２の参照信号を受信する受信部と、前記第１の参照信号、および／または、前記第２の参照信号に基づいて前記第１の物理チャネルを復調し、前記第１の参照信号、および／または、前記第２の参照信号に基づいて前記第２の物理チャネルを復調する復調部と、を備え、前記復調部は、前記第１の物理チャネル、前記第２の物理チャネル、前記第１の参照信号、および、前記第２の参照信号の物理的特徴が同一であると想定するかどうかを、以下の第１の条件から第３の条件の一部、または、全部に基づいて判断する。【選択図】図１０
2019135800.tif 000002
【特許請求の範囲】
【請求項１】
第１の物理チャネル、前記第１の物理チャネルに関連する第１の参照信号、第２の物理チャネル、および、前記第２の物理チャネルに関連する第２の参照信号を受信する受信部と、
前記第１の参照信号、および／または、前記第２の参照信号に基づいて前記第１の物理チャネルを復調し、
前記第１の参照信号、および／または、前記第２の参照信号に基づいて前記第２の物理チャネルを復調する復調部と、を備え、
前記復調部は、前記第１の物理チャネル、前記第２の物理チャネル、前記第１の参照信号、および、前記第２の参照信号の物理的特徴が同一であると想定するかどうかを、以下の第１の条件から第３の条件の一部、または、全部に基づいて判断する
■第１の条件：前記第１の物理チャネル、および、前記第１の参照信号の送信のために用いられる送信アンテナポートのセットが、前記第２の物理チャネル、および、前記第２の参照信号の送信のために用いられる送信アンテナポートのセットと同じであるかどうか
■第２の条件：前記第１の物理チャネルのレイヤの数が、前記第２の物理チャネルのレイヤの数と同じであるかどうか
■第３の条件：前記第１の物理チャネルで送信されるトランスポートブロックの数が、前記第２の物理チャネルで送信されるトランスポートブロックの数と同じであるかどうか
端末装置。
【請求項２】
前記物理的特徴は、送信電力を含む
請求項１に記載の端末装置。
【請求項３】
前記物理的特徴は、プレコーダを含む
請求項１または２に記載の端末装置。
【請求項４】
前記第１の物理チャネル、および、前記第１の参照信号は、ＯＦＤＭシンボルの第１のセットにおける第１の帯域にマップされ、
前記第２の物理チャネル、および、前記第２の参照信号は、ＯＦＤＭシンボルの第２のセットにおける第２の帯域にマップされ、
前記復調部は、前記第１の帯域、および、前記第２の帯域において同じプレコーダが適用されると想定しない
請求項３の端末装置。
【請求項５】
第１の物理チャネル、および、第２の物理チャネルを生成する変調部と、
前記第１の物理チャネルに関連する第１の参照信号、および、前記第２の物理チャネルに関連する第２の参照信号を生成する下りリンク参照信号生成部と、
前記第１の物理チャネル、前記第１の参照信号、第２の物理チャネル、および、前記第２の参照信号を送信する無線送信部と、を備え、
前記第１の物理チャネル、および、前記第２の物理チャネルに同一の送信電力を適用するか否かを、以下の第１の条件から第３の条件の一部、または、全部に基づいて判断する■第１の条件：前記第１の物理チャネル、および、前記第１の参照信号の送信のために用いられる送信アンテナポートのセットが、前記第２の物理チャネル、および、前記第２の参照信号の送信のために用いられる送信アンテナポートのセットと同じであるかどうか
■第２の条件：前記第１の物理チャネルのレイヤの数が、前記第２の物理チャネルのレイヤの数と同じであるかどうか
■第３の条件：前記第１の物理チャネルで送信されるトランスポートブロックの数が、前記第２の物理チャネルで送信されるトランスポートブロックの数と同じであるかどうか
基地局装置。
【請求項６】
前記第１の物理チャネル、および、前記第２の物理チャネルに同一のプレコーダを適用するか否かを、前記第１の条件から前記第３の条件の、一部、または、全部に基づいて判断する
請求項５に記載の基地局装置。
【請求項７】
端末装置に用いられる通信方法であって、
第１の物理チャネル、前記第１の物理チャネルに関連する第１の参照信号、第２の物理チャネル、および、前記第２の物理チャネルに関連する第２の参照信号を受信し、
前記第１の参照信号、および／または、前記第２の参照信号に基づいて前記第１の物理チャネルを復調し、
前記第１の参照信号、および／または、前記第２の参照信号に基づいて前記第２の物理チャネルを復調し、
前記第１の物理チャネル、前記第２の物理チャネル、前記第１の参照信号、および、前記第２の参照信号の物理的特徴が同一であると想定するかどうかを、以下の第１の条件から第３の条件の一部、または、全部に基づいて判断する
■第１の条件：前記第１の物理チャネル、および、前記第１の参照信号の送信のために用いられる送信アンテナポートのセットが、前記第２の物理チャネル、および、前記第２の参照信号の送信のために用いられる送信アンテナポートのセットと同じであるかどうか
■第２の条件：前記第１の物理チャネルのレイヤの数が、前記第２の物理チャネルのレイヤの数と同じであるかどうか
■第３の条件：前記第１の物理チャネルで送信されるトランスポートブロックの数が、前記第２の物理チャネルで送信されるトランスポートブロックの数と同じであるかどうか
通信方法。
【請求項８】
前記物理的特徴は、送信電力を含む
請求項７に記載の通信方法。
【請求項９】
前記物理的特徴は、プレコーダを含む
請求項７または８に記載の通信方法。
【請求項１０】
前記第１の物理チャネル、および、前記第１の参照信号は、ＯＦＤＭシンボルの第１のセットにおける第１の帯域にマップされ、
前記第２の物理チャネル、および、前記第２の参照信号は、ＯＦＤＭシンボルの第２のセットにおける第２の帯域にマップされ、
前記第１の帯域、および、前記第２の帯域において同じプレコーダが適用されると想定しない
請求項９に記載の通信方法。
【請求項１１】
端末装置に実装される集積回路であって、
第１の物理チャネル、前記第１の物理チャネルに関連する第１の参照信号、第２の物理チャネル、および、前記第２の物理チャネルに関連する第２の参照信号を受信する受信回路と、
前記第１の参照信号、および／または、前記第２の参照信号に基づいて前記第１の物理チャネルを復調し、
前記第１の参照信号、および／または、前記第２の参照信号に基づいて前記第２の物理チャネルを復調する復調回路と、を備え、
前記復調回路は、前記第１の物理チャネル、前記第２の物理チャネル、前記第１の参照信号、および、前記第２の参照信号の物理的特徴が同一であると想定するかどうかを、以下の第１の条件から第３の条件の一部、または、全部に基づいて判断する
■第１の条件：前記第１の物理チャネル、および、前記第１の参照信号の送信のために用いられる送信アンテナポートのセットが、前記第２の物理チャネル、および、前記第２の参照信号の送信のために用いられる送信アンテナポートのセットと同じであるかどうか
■第２の条件：前記第１の物理チャネルのレイヤの数が、前記第２の物理チャネルのレイヤの数と同じであるかどうか
■第３の条件：前記第１の物理チャネルで送信されるトランスポートブロックの数が、前記第２の物理チャネルで送信されるトランスポートブロックの数と同じであるかどうか
集積回路。
【請求項１２】
前記物理的特徴は、送信電力を含む
請求項１１に記載の端末装置。
【請求項１３】
前記物理的特徴は、プレコーダを含む
請求項１１または１２に記載の端末装置。
【請求項１４】
前記第１の物理チャネル、および、前記第１の参照信号は、ＯＦＤＭシンボルの第１のセットにおける第１の帯域にマップされ、
前記第２の物理チャネル、および、前記第２の参照信号は、ＯＦＤＭシンボルの第２のセットにおける第２の帯域にマップされ、
前記復調回路は、前記第１の帯域、および、前記第２の帯域において同じプレコーダが適用されると想定しない
請求項１３の集積回路。
【発明の詳細な説明】
【技術分野】
【０００１】
本発明は、端末装置、基地局装置、通信方法、および、集積回路に関する。
【背景技術】
【０００２】
セルラー移動通信の無線アクセス方式および無線ネットワーク（以下、「Long Term Evolution （LTE）」、または、「Evolved Universal Terrestrial Radio Access : EUTRA
」と称する。）が、第三世代パートナーシッププロジェクト（3rd Generation Partnership Project: 3GPP）において検討されている。ＬＴＥでは、基地局装置をｅＮｏｄｅＢ（evolved NodeB）、端末装置をＵＥ（User Equipment）とも称する。ＬＴＥは、基地局装
置がカバーするエリアをセル状に複数配置するセルラー通信システムである。単一の基地局装置は複数のセルを管理してもよい。
【０００３】
ＬＴＥリリース１３において、ＰＤＳＣＨの送信方式として、ＭＩＭＯ空間多重が仕様化されている（非特許文献１、２、３、４）。非特許文献５において、ＴＴＩ（Transmission Time Interval）の短縮、および、処理時間の削減について検討されている。
【先行技術文献】
【非特許文献】
【０００４】
【非特許文献１】"3GPP TS 36.211 V13.1.0 (2016-03)", 29th March, 2016.
【非特許文献２】"3GPP TS 36.212 V13.1.0 (2016-03)", 29th March, 2016.
【非特許文献３】"3GPP TS 36.213 V13.1.1 (2016-03)", 31th March, 2016.
【非特許文献４】"3GPP TS 36.300 V13.2.0 (2015-12)", 13th January, 2015.
【非特許文献５】"New SI proposal: Study on Latency reduction techniques for LTE", RP-150465, Ericsson, Huawei, 3GPP TSG RAN Meeting#67, Shanghai, China, 9th - 12th March 2015.
【発明の概要】
【発明が解決しようとする課題】
【０００５】
本発明は、効率的に下りリンク信号を受信することができる端末装置、該端末装置に用いられる通信方法、該端末装置に実装される集積回路、効率的に下りリンク信号を送信することができる基地局装置、を提供する。ここで、当該下りリンク信号は、ＰＤＳＣＨ、および、ｓＰＤＳＣＨを含んでもよい。
【課題を解決するための手段】
【０００６】
（１）本発明の態様は、以下のような手段を講じた。すなわち、本発明の第１の態様は、端末装置であって、第１の物理チャネル、前記第１の物理チャネルに関連する第１の参照信号、第２の物理チャネル、および、前記第２の物理チャネルに関連する第２の参照信号を受信する受信部と、前記第１の参照信号、および／または、前記第２の参照信号に基づいて前記第１の物理チャネルを復調し、前記第１の参照信号、および／または、前記第２の参照信号に基づいて前記第２の物理チャネルを復調する復調部と、を備え、前記復調部は、前記第１の物理チャネル、前記第２の物理チャネル、前記第１の参照信号、および、前記第２の参照信号の物理的特徴が同一であると想定するかどうかを、以下の第１の条件から第３の条件の一部、または、全部に基づいて判断する。
■第１の条件：前記第１の物理チャネル、および、前記第１の参照信号の送信のために用いられる送信アンテナポートのセットが、前記第２の物理チャネル、および、前記第２の参照信号の送信のために用いられる送信アンテナポートのセットと同じであるかどうか
■第２の条件：前記第１の物理チャネルのレイヤの数が、前記第２の物理チャネルのレイ
ヤの数と同じであるかどうか
■第３の条件：前記第１の物理チャネルで送信されるトランスポートブロックの数が、前記第２の物理チャネルで送信されるトランスポートブロックの数と同じであるかどうか
（２）本発明の第２の態様は、基地局装置であって、第１の物理チャネル、および、第２の物理チャネルを生成する変調部と、前記第１の物理チャネルに関連する第１の参照信号、および、前記第２の物理チャネルに関連する第２の参照信号を生成する下りリンク参照信号生成部と、前記第１の物理チャネル、前記第１の参照信号、第２の物理チャネル、および、前記第２の参照信号を送信する無線送信部と、を備え、前記第１の物理チャネル、および、前記第２の物理チャネルに同一の送信電力を適用するか否かを、以下の第１の条件から第３の条件の一部、または、全部に基づいて判断する。
■第１の条件：前記第１の物理チャネル、および、前記第１の参照信号の送信のために用いられる送信アンテナポートのセットが、前記第２の物理チャネル、および、前記第２の参照信号の送信のために用いられる送信アンテナポートのセットと同じであるかどうか
■第２の条件：前記第１の物理チャネルのレイヤの数が、前記第２の物理チャネルのレイヤの数と同じであるかどうか
■第３の条件：前記第１の物理チャネルで送信されるトランスポートブロックの数が、前記第２の物理チャネルで送信されるトランスポートブロックの数と同じであるかどうか
（３）本発明の第３の態様は、端末装置に用いられる通信方法であって、第１の物理チャネル、前記第１の物理チャネルに関連する第１の参照信号、第２の物理チャネル、および、前記第２の物理チャネルに関連する第２の参照信号を受信し、前記第１の参照信号、および／または、前記第２の参照信号に基づいて前記第１の物理チャネルを復調し、前記第１の参照信号、および／または、前記第２の参照信号に基づいて前記第２の物理チャネルを復調し、前記第１の物理チャネル、前記第２の物理チャネル、前記第１の参照信号、および、前記第２の参照信号の物理的特徴が同一であると想定するかどうかを、以下の第１の条件から第３の条件の一部、または、全部に基づいて判断する。
■第１の条件：前記第１の物理チャネル、および、前記第１の参照信号の送信のために用いられる送信アンテナポートのセットが、前記第２の物理チャネル、および、前記第２の参照信号の送信のために用いられる送信アンテナポートのセットと同じであるかどうか
■第２の条件：前記第１の物理チャネルのレイヤの数が、前記第２の物理チャネルのレイヤの数と同じであるかどうか
■第３の条件：前記第１の物理チャネルで送信されるトランスポートブロックの数が、前記第２の物理チャネルで送信されるトランスポートブロックの数と同じであるかどうか
（４）本発明の第４の態様は、端末装置に実装される集積回路であって、第１の物理チャネル、前記第１の物理チャネルに関連する第１の参照信号、第２の物理チャネル、および、前記第２の物理チャネルに関連する第２の参照信号を受信する受信回路と、前記第１の参照信号、および／または、前記第２の参照信号に基づいて前記第１の物理チャネルを復調し、前記第１の参照信号、および／または、前記第２の参照信号に基づいて前記第２の物理チャネルを復調する復調回路と、を備え、前記復調回路は、前記第１の物理チャネル、前記第２の物理チャネル、前記第１の参照信号、および、前記第２の参照信号の物理的特徴が同一であると想定するかどうかを、以下の第１の条件から第３の条件の一部、または、全部に基づいて判断する。
■第１の条件：前記第１の物理チャネル、および、前記第１の参照信号の送信のために用いられる送信アンテナポートのセットが、前記第２の物理チャネル、および、前記第２の参照信号の送信のために用いられる送信アンテナポートのセットと同じであるかどうか
■第２の条件：前記第１の物理チャネルのレイヤの数が、前記第２の物理チャネルのレイヤの数と同じであるかどうか
■第３の条件：前記第１の物理チャネルで送信されるトランスポートブロックの数が、前記第２の物理チャネルで送信されるトランスポートブロックの数と同じであるかどうか
【発明の効果】
【０００７】
この発明によれば、端末装置は効率的に下りリンク信号を受信することができる。また、基地局装置は効率的に下りリンク信号を送信することができる。
【図面の簡単な説明】
【０００８】
【図１】本実施形態の無線通信システムの概念図である。
【図２】本実施形態の無線フレームの概略構成を示す図である。
【図３】本実施形態における下りリンクスロットの概略構成を示す図である。
【図４】本実施形態におけるＴＴＩおよびｓＴＴＩの一例を示す図である。
【図５】本実施形態の下りリンクにおける物理チャネルの割り当ての一例を示す図である。
【図６】本実施形態における端末装置１の構成を示す概略ブロック図である。
【図７】本実施形態における基地局装置３の構成を示す概略ブロック図である。
【図８】本実施形態における物理層の送信プロセス８０００の構成の一例を示した図である。
【図９】本実施形態における第１の物理チャネルおよび第２の物理チャネルを受信する端末装置１の動作の一例を示すフローチャートである。
【図１０】本実施形態における端末装置１の動作分類の一例を示した表である。
【図１１】本実施形態におけるｓＰＤＳＣＨに適用可能なパラメータのセットの一例を示す図である。
【発明を実施するための形態】
【０００９】
以下、本発明の実施形態について説明する。
【００１０】
図１は、本実施形態の無線通信システムの概念図である。図１において、無線通信システムは、端末装置１Ａ〜１Ｃ、および基地局装置３を具備する。以下、端末装置１Ａ〜１Ｃを端末装置１とも呼称する。
【００１１】
以下、キャリアアグリゲーションについて説明する。
【００１２】
本実施形態では、端末装置１は、複数のサービングセルが設定される。端末装置１が複数のサービングセルを介して通信する技術をセルアグリゲーション、またはキャリアアグリゲーションと称する。端末装置１に対して設定される複数のサービングセルのそれぞれにおいて、本発明が適用されてもよい。また、設定された複数のサービングセルの一部において、本発明が適用されてもよい。また、設定された複数のサービングセルのグループのそれぞれにおいて、本発明が適用されてもよい。また、設定された複数のサービングセルのグループの一部において、本発明が適用されてもよい。
【００１３】
複数のサービングセルは、少なくとも１つのプライマリセルを含む。複数のサービングセルは、１つ、または、複数のセカンダリセルを含んでもよい。プライマリセルは、初期コネクション確立（initial connection establishment）手順が行なわれたサービングセル、コネクション再確立（connection re-establishment）手順を開始したサービングセ
ル、または、ハンドオーバ手順においてプライマリセルと指示されたセルである。ＲＲＣ（Radio Resource Control）コネクションが確立された時点、または、後に、セカンダリセルが設定されてもよい。
【００１４】
下りリンクにおいて、サービングセルに対応するキャリアを下りリンクコンポーネントキャリアと称する。上りリンクにおいて、サービングセルに対応するキャリアを上りリンクコンポーネントキャリアと称する。下りリンクコンポーネントキャリア、および、上りリンクコンポーネントキャリアを総称して、コンポーネントキャリアと称する。
【００１５】
端末装置１は、複数のサービングセル（コンポーネントキャリア）において同時に複数の物理チャネルでの送信、および／または受信を行うことができる。１つの物理チャネルは、複数のサービングセル（コンポーネントキャリア）のうち１つのサービングセル（コンポーネントキャリア）において送信される。
【００１６】
本実施形態の物理チャネルおよび物理信号について説明する。なお、以下では、本発明の一態様においてｓｈｏｒｔｅｎｅｄが付される用語は、Ｎｍｓ（例えば、Ｎは１ｍｓ）よりも小さい期間（１ＯＳ（OFDM symbol）、２ＯＳ、３ＯＳ、４ＯＳ、７ＯＳ等）を単
位として、下りリンクデータ（ペイロード、トランスポートブロック、ＭＡＣ  ＰＤＵ等）の通信を行う通信方式に関連することを示してもよい。また、本発明の一態様においてｓｈｏｒｔｅｎｅｄが付される用語において、ｓｈｏｒｔｅｎｅｄは、ｓｈｏｒｔ、ｓｈｏｒｔｅｒ、ｓｈｏｒｔｅｎｉｎｇ、ｓｈｏｒｔｅｎ等に読み替えられてもよい。
【００１７】
図１において、基地局装置３から端末装置１への下りリンクの無線通信では、以下の下りリンク物理チャネルが用いられる。下りリンク物理チャネルは、上位層から出力された情報を送信するために使用される。
・ＰＤＣＣＨ（Physical Downlink Control Channel）
・ＥＰＤＣＣＨ（Enhanced Physical Downlink Control Channel）
・ｓＰＤＣＣＨ（shortened Physical Downlink Control Channel）
・ＰＤＳＣＨ（Physical Downlink Shared Channel）
・ｓＰＤＳＣＨ（shortened Physical Downlink Shared Channel）
ＰＤＣＣＨ、ＥＰＤＣＣＨ、および、ｓＰＤＣＣＨは、下りリンク制御情報（Downlink
Control Information: DCI）を送信するために用いられる。下りリンク制御情報を、Ｄ
ＣＩフォーマットとも称する。下りリンク制御情報は、下りリンクグラント（downlink grant）を含むことができる。下りリンクグラントは、下りリンクアサインメント（downlink assignment）または下りリンク割り当て（downlink allocation）とも称する。
【００１８】
ＰＤＣＣＨおよびＥＰＤＣＣＨに含まれるＤＣＩはＰＤＳＣＨのための割当情報を含み、ｓＰＤＣＣＨに含まれるＤＣＩはｓＰＤＳＣＨのための下りリンクグラントを含んでもよい。ここで、ｓＰＤＳＣＨのための下りリンクグラントを含むＤＣＩは、ｓＤＣＩ（shortened DCI）と呼称されてもよい。また、ｓＰＤＳＣＨがサブフレーム内の先頭のｓＴ
ＴＩ（時間領域の観点から、サブフレーム内において前半に位置するｓＴＴＩ）に配置される場合、ＰＤＣＣＨはｓＤＣＩを含んでもよい。また、ＥＰＤＣＣＨは、ｓＤＣＩを含んでもよい。
【００１９】
つまり、１つの下りリンクグラントは、１つのセル内の１つのＰＤＳＣＨのスケジューリングに用いられてもよい。下りリンクグラントは、該下りリンクグラントが送信されたサブフレームと同じサブフレーム内のＰＤＳＣＨのスケジューリングに用いられてもよい。１つの下りリンクグラントは、１つのセル内の１つのｓＰＤＳＣＨのスケジューリングに用いられてもよい。下りリンクグラントは、該下りリンクグラントが送信されたｓＴＴＩ（shortened Transmission Time Interval）と同じｓＴＴＩ内のｓＰＤＳＣＨのスケジューリングに用いられてもよい。
【００２０】
ここで、下りリンクグラントは、１または複数の端末装置１のための下りリンク割り当てに関連する情報を備えてもよい。つまり、下りリンクグラントは、１または複数の端末装置１のための周波数割り当て情報（Resource allocation）、ＭＣＳ（Modulation and Coding）、送信アンテナポート数、スクランブルアイデンティティ（SCID: Scramble Identity）、レイヤ数、新データ指標（New Data Indicator）、ＲＶ（Redundancy Version
）、トランスポートブロック数、プレコーダ情報、送信スキームに関する情報の少なくとも一つを含んでもよい。
【００２１】
なお、ＴＴＩを構成するサブキャリアスペーシング（Subcarrier spacing）および／またはシンボル長（Symbol length）と、ｓＴＴＩを構成するサブキャリアスペーシングお
よび／またはシンボル長は、異なってもよい。
【００２２】
ＰＤＳＣＨ、および、ｓＰＤＳＣＨは、下りリンクデータ（Downlink Shared Channel:
DL-SCH）を送信するために用いられてもよい。
【００２３】
ＤＬ−ＳＣＨは、トランスポートチャネルである。媒体アクセス制御（Medium Access Control: MAC）層で用いられるチャネルをトランスポートチャネルと称する。ＭＡＣ層で用いられるトランスポートチャネルの単位を、トランスポートブロック（transport block: TB）またはＭＡＣ  ＰＤＵ（Protocol Data Unit）とも称する。ＭＡＣ層においてト
ランスポートブロック毎にＨＡＲＱ（Hybrid Automatic Repeat reQuest）の制御が行な
われる。トランスポートブロックは、ＭＡＣ層が物理層に渡す（deliver）データの単位
である。物理層において、トランスポートブロックはコードワードにマップされ、コードワード毎に変調処理、および、符号化処理が行なわれる。１つのコードワードは、１つ、または、複数のレイヤにマップされる。
【００２４】
図８は、物理層の送信プロセス８０００の構成の一例を示した図である。送信プロセス８０００（Transmission process）は、符号化処理部８００１（coding）、スクランブル処理部８００２（Scrambling）、変調マップ処理部８００３（Modulation mapper）、
レイヤマップ処理部８００４（Layer mapper）、送信プレコード処理部８００５（Transform precoder）、プレコード処理部８００６（Precoder）、リソースエレメントマップ処理部８００７（Resource element mapper）、ベースバンド信号生成処理部８００８（OFDM baseband signal generation）を含んだ構成である。
【００２５】
符号化処理部８００１は、誤り訂正符号化処理により、上位層より渡されるトランスポートブロックを符号化ビット（coded bit）に変換する機能を備える。例えば、誤り訂
正符号化には、ターボ符号、ＬＤＰＣ（Low Density Parity Check）符号、Polar符号、
畳み込み符号（convolutional codeまたはTail biting convolutional code等）、ブロック符号、ＲＭ（Reed Muller）符号、繰り返し符号が含まれる。符号化処理部８００１は
、符号化ビットをスクランブル処理部８００２に渡す機能を備える。なお、本発明の一態様において、ＴＴＩに対応するトランスポートブロックのために用いられる符号化処理と、ｓＴＴＩに対応するトランスポートブロックのために用いられる符号化処理は異なってもよい。
【００２６】
スクランブル処理部８００２は、スクランブル処理により、符号化ビットをスクランブルビット（scramble bit）に変換する機能を備える。スクランブルビットは、符号化ビットとスクランブル系列に関して２を法とする和をとることにより得られる。スクランブル系列は、例えば端末装置１に固有な系列（例えばＣ−ＲＮＴＩ）に基づき、擬似ランダム関数により生成される系列であってもよい。
【００２７】
変調マップ部８００３は、変調マップ処理によりスクランブルビットを変調ビットに変換する機能を備える。変調ビットは、スクランブルビットに対して、ＱＰＳＫ（Quaderature Phase Shift Keying）、１６ＱＡＭ（Quaderature Amplitude Modulation）、６４ＱＡＭ等の変調処理が施されることにより得られる。
【００２８】
レイヤマップ処理部８００４は、変調ビットを各レイヤにマッピングする機能を備える。レイヤ（layer）とは、空間領域における物理層信号の多重度に関する指標である。
つまり、例えば、レイヤ数が１の場合、空間多重が行われないことを意味しており、レイ
ヤ数が２の場合、２種類の物理層信号が空間多重されることを意味している。
【００２９】
送信プレコード処理部８００５は、各レイヤにマッピングされた変調ビットに送信プレコード処理を施すことにより送信ビットを生成する機能を備える。送信プレコード処理は、例えば、ＤＦＴ拡散（DFT spread, DFT spreading）等による処理を含む。下りリン
クの無線通信では、変調ビットに対して送信プレコード処理が施されなくてもよい。または、下りリンクの無線通信では、送信プレコード処理として、変調ビットに対して単位行列に基づく処理が施されてもよい。上りリンクの無線通信では、変調ビットに対して送信プレコード処理が施されなくてもよい。または、上りリンクの無線通信では、送信プレコード処理として、変調ビットに対して単位行列に基づく処理が施されてもよい。
【００３０】
プレコード処理部８００６は、送信ビットに対して、プレコーダを乗算することにより、送信アンテナポートごとの送信ビットを生成する機能を備える。
【００３１】
リソースエレメントマップ処理部８００７は、送信アンテナポートごとの送信ビットをリソースエレメントにマッピングする処理を行う機能を備える。
【００３２】
ベースバンド信号生成処理部８００８は、リソースエレメントにマップされた送信ビットを、ベースバンド信号に変換する機能を備える。送信ビットをベースバンド信号に変換する処理は、例えば、逆フーリエ変換処理（IFFT: Inverse Fast Fourier Transform）や、Ｗｉｎｄｏｗｉｎｇ（ウィンドウ処理）、Ｄｉｇｉｔａｌ  Ｆｉｌｔｅｒｉｎｇ（フィルタリング処理）等が含まれてもよい。
【００３３】
以下では、物理信号の説明を行う。
【００３４】
図１において、下りリンクの無線通信では、以下の下りリンク物理信号が用いられる。下りリンク物理信号は、上位層から出力された情報を送信するために使用されないが、物理層によって使用される。
・同期信号（Synchronization signal: SS）
・下りリンク参照信号（Downlink Reference Signal: DL RS）
同期信号は、端末装置１が下りリンクの周波数領域および時間領域の同期をとるために用いられる。Ｔ
下りリンク参照信号は、端末装置１が下りリンク物理チャネルの伝搬路補正を行なうために用いられる。下りリンク参照信号は、端末装置１が下りリンクのチャネル状態情報を算出するために用いられる。
【００３５】
本実施形態において、以下の５つのタイプの下りリンク参照信号が用いられる。
・ＣＲＳ（Cell-specific Reference Signal）
・ＰＤＳＣＨに関連するＵＲＳ（UE-specific Reference Signal）（タイプ１ＵＲＳ）
・ｓＰＤＳＣＨに関連するＵＲＳ（UE-specific Reference Signal）（タイプ２ＵＲＳ）・ＥＰＤＣＣＨに関連するＤＭＲＳ（Demodulation Reference Signal）（タイプ１ＤＭ
ＲＳ）
・ｓＰＤＣＣＨに関連するＤＭＲＳ（Demodulation Reference Signal）（タイプ２ＤＭ
ＲＳ）
ＰＤＳＣＨに関連するＵＲＳをタイプ１ＵＲＳとも称する。ｓＰＤＳＣＨに関連するＵＲＳをタイプ２ＵＲＳとも称する。ＥＰＤＣＣＨに関連するＤＭＲＳをタイプ１ＤＭＲＳとも称する。ｓＰＤＣＣＨに関連するＤＭＲＳをタイプ２ＤＭＲＳとも称する。物理チャネルは、該物理チャネルと関連する参照信号に基づき、復調されてもよい。物理チャネルが参照信号と関連しているとは、該物理チャネルと該参照信号が同一のアンテナポートから送信されていることであってもよい。
【００３６】
以下、本実施形態における物理チャネル、物理信号、および、送信アンテナポートの対応について説明する。
【００３７】
ＣＲＳは、送信アンテナポート｛０、１、２、３｝の１つ、または、複数で送信されてもよい。ＵＲＳは、送信アンテナポート｛７、８、９、１０、１１、１２、１３、１４｝の１つ、または、複数で送信されてもよい。ＥＰＤＣＣＨに関連するタイプ１ＤＭＲＳは、送信アンテナポート｛１０７、１０８、１０９、１１０｝の１つ、または、複数で送信されてもよい。タイプ１ＤＭＲＳは、送信アンテナポート｛１０７、１０８、１０９、１１０｝の１つ、または、複数で送信されてもよい。送信アンテナポート｛７、８、９、１０、１１、１２、１３、１４、１０７、１０８、１０９、１１０｝の少なくとも１つでＵＲＳが送信される場合、ＵＲＳの信号系列は、スクランブル識別子（ＮＳＣＩＤ）に基づいて生成されてもよい。端末装置１は、基地局装置３からＰＤＣＣＨまたはｓＰＤＣＣＨにより送信されるスクランブル識別子に関する情報に基づき、スクランブル識別子（ＮＳＣＩＤ）、および、ＵＲＳの信号系列を決定してもよい。
【００３８】
ｓＰＤＣＣＨに関連するＤＭＲＳは、送信アンテナポート｛７、８、９、１０、１１、１２、１３、１４｝の１つ、または、複数で送信されてもよい。ｓＰＤＣＣＨに関連するＤＭＲＳは、送信アンテナポート｛１０７、１０８、１０９、１１０｝の１つ、または、複数で送信されてもよい。
【００３９】
ＰＤＣＣＨは、ＣＲＳと同じ送信アンテナポートで送信されてもよい。ＥＰＤＣＣＨは、ＥＰＤＣＣＨに関連するタイプ１ＤＭＲＳと同じ送信アンテナポートで送信されてもよい。
【００４０】
ＰＤＳＣＨは、ＣＲＳと同じ送信アンテナポート、または、ＵＲＳと同じ送信アンテナポートで送信されてもよい。ｓＰＤＳＣＨは、ＣＲＳと同じ送信アンテナポート、または、ＵＲＳと同じ送信アンテナポートで送信されてもよい。ｓＰＤＣＣＨは、ＣＲＳと同じ送信アンテナポート、または、ｓＰＤＣＣＨに関連するタイプ２ＤＭＲＳと同じ送信アンテナポートで送信されてもよい。
【００４１】
ＰＤＳＣＨ送信のために用いられる送信アンテナポートは、上位層のパラメータ、および／または、下りリンクグラントに少なくとも基づいて与えられてもよい。ｓＰＤＳＣＨ送信のために用いられる送信アンテナポートは、上位層のパラメータ、および／または、下りリンクグラントに少なくとも基づいて与えられてもよい。
【００４２】
ＥＰＤＳＣＨ送信のために用いられる送信アンテナポートは、上位層のパラメータに少なくとも基づいて与えられてもよい。ｓＰＤＳＣＨ送信のために用いられる送信アンテナポートは、上位層のパラメータに少なくとも基づいて与えられてもよい。
【００４３】
ｓＰＤＳＣＨ送信のために用いられるアンテナポートは、サブフレームの設定に基づいて与えられてもよい。例えば、あるサブフレームにおいてｓＰＤＳＣＨ送信のために用いられるアンテナポートは、当該サブフレームがＭＢＳＦＮ（Multicast-broadcast single-frequency network）サブフレームに設定される場合にタイプ２ＵＲＳのアンテナポートと同じであってもよい。例えば、あるサブフレームにおいてｓＰＤＳＣＨ送信のために用いられるアンテナポートは、当該サブフレームがＭＢＳＦＮサブフレームに設定されない場合にＣＲＳのアンテナポートと同じであってもよい。
【００４４】
ｓＰＤＣＣＨ送信のために用いられるアンテナポートは、サブフレームの設定に基づいて与えられてもよい。例えば、あるサブフレームにおいてｓＰＤＣＣＨ送信のために用い
られるアンテナポートは、当該サブフレームがＭＢＳＦＮ（Multicast-broadcast single-frequency network）サブフレームに設定される場合にタイプ２ＤＭＲＳのアンテナポートと同じであってもよい。例えば、あるサブフレームにおいてｓＰＤＣＣＨ送信のために用いられるアンテナポートは、当該サブフレームがＭＢＳＦＮサブフレームに設定されない場合にＣＲＳのアンテナポートと同じであってもよい。
【００４５】
なお、送信アンテナポートは、仮想的なアンテナ構成であってもよい。一つの送信アンテナポートは、単一のアンテナにより構成されてもよいし、複数のアンテナにより構成されてもよい。例えば、第３の送信アンテナポートと第４の送信アンテナポートが同一であるとは、第３の送信アンテナポートが第４の送信アンテナポートに基づき復調されることであってもよい。つまり、第３の送信アンテナポートと第４の送信アンテナポートが異なることは、第３の送信アンテナポートが第４の送信アンテナポートに基づき復調されないことであってもよい。第３の送信アンテナポートが第４の送信アンテナポートに基づき復調されるとは、第４の送信アンテナポートにより推定されるチャネルに基づき、第４の送信アンテナポートが復調されることであってもよい。また、送信アンテナポートが同一であるとは、アンテナポート番号が同じ番号であることと同義であってもよい。また、送信アンテナポートが同一であるとは、アンテナポート番号に対応するインデックスの値が同じであることと同義であってもよい。
【００４６】
以下、本実施形態の無線フレーム（radio frame）の構成の一例について説明する。図
２は、本実施形態の無線フレームの概略構成を示す図である。無線フレームのそれぞれは、１０ｍｓ長である。図２において、横軸は時間軸である。また、無線フレームのそれぞれは１０のサブフレームから構成される。サブフレームのそれぞれは、１ｍｓ長であり、２つの連続するスロットによって定義される。スロットのそれぞれは、０．５ｍｓ長である。つまり、１０ｍｓ間隔のそれぞれにおいて、１０個のサブフレームが利用できる。サブフレームをＴＴＩ（Transmission Time Intervalとも称する。）
以下、本実施形態のスロットの構成の一例について説明する。図３は、本実施形態における下りリンクスロットの概略構成を示す図である。図３において、１つのセルにおける下りリンクスロットの構成を示す。図３において、横軸は時間軸であり、縦軸は周波数軸である。図３において、ｌはＯＦＤＭシンボル番号／インデックスであり、ｋはサブキャリア番号／インデックスである。
【００４７】
スロットのそれぞれにおいて送信される物理シグナルまたは物理チャネルは、リソースグリッドによって表現される。下りリンクにおいて、リソースグリッドは複数のサブキャリアと複数のＯＦＤＭシンボルによって定義される。リソースグリッド内のエレメントのそれぞれをリソースエレメントと称する。リソースエレメントは、サブキャリア番号／インデックスｋ、および、ＯＦＤＭシンボル番号／インデックスｌによって表される。
【００４８】
下りリンクスロットは、時間領域において、複数のＯＦＤＭシンボルｌ（l=0,1,…,NDLsymb）を含む。NDLsymbは、１つの下りリンクスロットに含まれるＯＦＤＭシンボルの数
を示す。上りリンクにおけるノーマルＣＰ（normal Cyclic Prefix）に対して、NDLsymb
は７である。下りリンクにおける拡張ＣＰ（extended ＣＰ）に対して、NDLsymbは６である。
【００４９】
下りリンクスロットは、周波数領域において、複数のサブキャリアｋ（k=0,1,…,NDLRB
×NRBsc)を含む。NDLRBは、NRBscの倍数によって表現される、サービングセルに対する
下りリンク帯域幅設定である。NRBscは、サブキャリアの数によって表現される、周波数
領域における（物理）リソースブロックサイズである。サブキャリア間隔Δfは１５ｋＨ
ｚであり、NRBscは１２であってもよい。すなわち、NRBscは、１８０ｋＨｚであってもよい。サブキャリア間隔Δfはチャネル毎、および／または、ＴＴＩ／ｓＴＴＩ毎に異なっ
てもよい。
【００５０】
リソースブロックは、物理チャネルのリソースエレメントへのマッピングを表すために用いられる。リソースブロックは、仮想リソースブロックと物理リソースブロックが定義される。物理チャネルは、まず仮想リソースブロックにマップされる。その後、仮想リソースブロックは、物理リソースブロックにマップされる。１つの物理リソースブロックは、時間領域においてNDLsymbの連続するＯＦＤＭシンボルと周波数領域においてNRBscの連続するサブキャリアとから定義される。ゆえに、１つの物理リソースブロックは（NDLsymb×NRBsc）のリソースエレメントから構成される。１つの物理リソースブロックは、時間領域において１つのスロットに対応する。物理リソースブロックは周波数領域において、周波数の低いほうから順に番号（0,1,…, NDLRB -1）が付けられる。
【００５１】
図４は、本実施形態におけるＴＴＩおよびｓＴＴＩの一例を示す図である。ＴＴＩは、２×NDLsymbのＯＦＤＭシンボルから構成されてもよい。ｓＴＴＩを構成するＯＦＤＭシ
ンボルの数は、｛２、３、４、７｝の何れかである。ＸのＯＦＤＭシンボルから構成されるＴＴＩ／ｓＴＴＩをＸシンボルＴＴＩとも称する。
【００５２】
図５は、本実施形態の下りリンクにおける物理チャネルの割り当ての一例を示す図である。ＰＤＣＣＨ５００は、サブフレームの先頭から１または複数のＯＦＤＭシンボルを含み（ＰＤＣＣＨの長さ５１３）、且つ、セルの帯域幅に等しい帯域幅を用いて送信される。ＥＰＤＣＣＨ５０１は、サブフレーム全体からＰＤＣＣＨ５００を除いたＯＦＤＭシンボルを含み（ＥＰＤＣＣＨの長さ５２６）、且つ、セルの帯域幅の一部（ＥＰＤＣＣＨ帯域幅５１１）を用いて送信される。ＰＤＳＣＨ５０２は、サブフレーム全体からＰＤＣＣＨ５００を除いたＯＦＤＭシンボルを含み、且つ、セルの帯域幅の一部（セルの帯域幅から、ＥＰＤＣＣＨ帯域幅５１１およびｓＴＴＩ帯域幅５１２を除いた帯域）を用いて送信される。ｓＰＤＣＣＨ５０３、５０５、５０７および５０９は、サブフレーム全体からＰＤＣＣＨ５００を除いたＯＦＤＭシンボルの一部（ｓＰＤＣＣＨの長さ５１４、５１６、５１８および５２０）を含み、且つ、ｓＴＴＩ帯域幅５１２を用いて送信されてもよい。ｓＰＤＳＣＨ５０４、５０６、５０８および５１０は、サブフレーム全体からＰＤＣＣＨ５００を除いたＯＦＤＭシンボルの一部（ｓＰＤＳＣＨの長さ５１５、５１７、５１９および５２１）を含み、且つ、ｓＴＴＩ帯域幅５１２を用いて送信されてもよい。
【００５３】
ここで、ｓＰＤＣＣＨ５０３、５０５、５０７および５０９、および／または、ｓＰＤＳＣＨ５０４、５０６、５０８および５１０は、セルの帯域幅の少なくとも一つ（一部）を用いて送信されてもよい。
【００５４】
ｓＴＴＩの長さ５２２は、ｓＰＤＣＣＨの長さ５１４およびｓＰＤＳＣＨの長さ５１５を含む。ｓＴＴＩの長さ５２３は、ｓＰＤＣＣＨの長さ５１６およびｓＰＤＳＣＨの長さ５１７を含む。ｓＴＴＩの長さ５２４は、ｓＰＤＣＣＨの長さ５１８およびｓＰＤＳＣＨの長さ５１９を含む。ｓＴＴＩの長さ５２５は、ｓＰＤＣＣＨの長さ５２０およびｓＰＤＳＣＨの長さ５２１を含む。ｓＴＴＩの長さ５２２〜５２５は、サブフレーム内で共通の値でもよい。ｓＴＴＩの長さ５２２〜５２５は、サブフレーム内で異なってもよい。
【００５５】
なお、ｓＰＤＣＣＨ５０３、５０５、５０７および５０９の一部は、ｓＰＤＳＣＨであってもよい。
【００５６】
以下では、ｓＤＣＩの種類を説明する。
【００５７】
第１のｓＤＣＩ（First DCI, Slow DCI, First sDCI, Slow sDCI、第１のＤＣＩ等）は、ｓＴＴＩの設定情報を含んでもよい（例えば、ｓＴＴＩ帯域幅５１２に関する情報、ｓ
ＴＴＩの長さ５２２、５２３、５２４、５２５に関する情報）。つまり、第１のｓＤＣＩは、端末装置１へのｓＰＤＳＣＨの割り当て情報を含まなくてもよく、且つ、１つまたは複数の端末装置１のためにｓＰＤＳＣＨが割り当てられることが期待されるｓＴＴＩ帯域幅５１２に関する情報を含んでもよい。第１のｓＤＣＩは、ＰＤＣＣＨ５００、ｓＰＤＣＣＨ５０３、５０５、５０７、５０９のうちの何れを用いて送信されてもよい。第１のｓＤＣＩに付加されるＣＲＣ（Cyclic Redundancy Check）パリティビットは、端末装置１
に関して個別のＲＮＴＩ（Radio Network Temporary Identifier）に基づきスクランブルされてもよい（例えばC-RNTI）。第１のｓＤＣＩに付加されるＣＲＣパリティビットは、複数の端末装置１に関して共通のＲＮＴＩに基づきスクランブルされてもよい（例えばG-RNTI(Group-RNTI), TPC-RNTI等）。
【００５８】
端末装置１は、第１のｓＤＣＩを検出した場合、第１のｓＤＣＩに含まれるｓＴＴＩの設定情報に基づき、ｓＴＴＩの帯域幅を決定してもよい。端末装置１は、第１のｓＤＣＩを検出した場合、第１のｓＤＣＩに含まれるｓＴＴＩの設定情報に基づき、第２のｓＤＣＩを含むｓＰＤＣＣＨ、および、第２のｓＤＣＩを含むＰＤＣＣＨをモニタしてもよい。
【００５９】
第２のｓＤＣＩ（Second DCI, Fast DCI, Second sDCI, Fast sDCI、第２のＤＣＩ等）は、端末装置１に割り当てられるｓＰＤＳＣＨの設定情報を含んでもよい（例えば、ＭＣＳ、ＲＶ、ＮＤＩ等）。第２のｓＤＣＩは、端末装置１のｓＰＤＳＣＨの割り当て情報を含んでもよい。第２のｓＤＣＩは、ＰＤＣＣＨ５００、ｓＰＤＣＣＨ５０３、５０５、５０７、５０９のうちの何れを用いて送信されてもよい。第２のｓＤＣＩに付加されるＣＲＣパリティビットは、端末装置１に関して個別のＲＮＴＩ（Radio Network Temporary Identifier）に基づきスクランブルされてもよい。
【００６０】
端末装置１は、第２のｓＤＣＩを検出した場合、第１のｓＤＣＩに含まれるｓＴＴＩの設定情報、および／または、第２のｓＤＣＩに含まれるｓＰＤＳＣＨの割り当て情報に基づき、当該端末装置１に割り当てられるｓＰＤＳＣＨの領域を決定してもよい、且つ、ｓＰＤＳＣＨの受信処理を行ってもよい。
【００６１】
第３のｓＤＣＩ（Third DCI, Third sDCI, 第３のＤＣＩ等）は、端末装置１に割り当
てられるｓＰＤＳＣＨの設定情報を含んでもよい。また、第３のｓＤＣＩは、端末装置１のｓＰＤＳＣＨの割り当て情報を含んでもよい。第３のｓＤＣＩは、ＰＤＣＣＨ５００、ｓＰＤＣＣＨ５０３、５０５、５０７、５０９のうちの何れを用いて送信されてもよい。第３のｓＤＣＩに付加されるＣＲＣパリティビットは、端末装置１に関して個別のＲＮＴＩ（Radio Network Temporary Identifier）に基づきスクランブルされてもよい。
【００６２】
端末装置１は、第３のｓＤＣＩを検出した場合、第３のｓＤＣＩに含まれるｓＴＴＩの設定情報、および／または、第３のｓＤＣＩに含まれるｓＰＤＳＣＨの割り当て情報に基づき、当該端末装置１に割り当てられるｓＰＤＳＣＨの領域を決定してもよい、且つ、ｓＰＤＳＣＨの受信処理を行ってもよい。
【００６３】
以下では、第１の物理チャネルおよび第２の物理チャネルを受信する端末装置１の動作例を説明する。ここで、第１の物理チャネルは第１の参照信号、および／または、第２の参照信号に基づき復調されてもよい。また、第２の物理チャネルは第１の参照信号、および／または、第２の参照信号に基づき復調されてもよい。
【００６４】
図９は、第１の物理チャネルおよび第２の物理チャネルを受信する端末装置１の動作の一例を示すフローチャートである。端末装置１は条件Ｙに基づき、動作１、または、動作２を実施する。端末装置１は条件Ｙが満たされる場合に動作１を実施し、条件Ｙが満たされない場合に動作２を実施する。
【００６５】
ここで、条件Ｙは、第１の物理チャネルと第２の物理チャネル間で少なくとも１つ（一部）の要素が同じであることである。当該要素は、以下の要素Ｙ１から要素Ｙ６の一部、または、全部を含んでもよい。
・要素Ｙ１：物理チャネルが対応する送信アンテナポート
・要素Ｙ２：物理チャネルのレイヤ数
・要素Ｙ３：物理チャネルで送信されるトランスポートブロック数
・要素Ｙ４：物理チャネルが対応するｓＴＴＩの長さ
・要素Ｙ５：物理チャネルが含まれるサブフレーム
・要素Ｙ６：物理チャネルの物理パラメータ（numerology）
要素Ｙ３は、コードワード数でもよい。また、要素Ｙ４は、ｓＴＴＩの長さ５２２、５２３、５２４および５２５でもよいし、ｓＰＤＣＣＨの長さ５１４、５１６、５１８および５２０でもよいし、ｓＰＤＳＣＨの長さ５１５、５１７、５１９および５２１でもよい。
【００６６】
要素Ｙ６において、物理パラメータは、例えば、物理チャネルの信号波形に関するパラメータであってもよい。信号波形に関するパラメータは、物理チャネルに適用されるシンボル数、信号波形（waveform）、サブキャリア間隔、ＣＰ長、サンプル周期等であってもよい。
【００６７】
動作１は、第１の物理チャネルと第２の物理チャネル間で物理的特徴が同一である（と想定される）ことであり、動作２は、第１の物理チャネルと第２の物理チャネル間で物理的特徴が異なる（と想定される）ことである。物理的特徴とは、例えば、プレコーダ、受信電力（受信電力値、受信電力密度、受信強度等）、送信電力（送信電力値、送信電力密度、送信強度等）、タイミングアドバンス（TA: Timing advance）、到来角度（AoA: Angle of Arival）、ドップラシフト、遅延スプレッド（または、最大遅延時間等）、遅延広がり（遅延拡がり、瞬時遅延広がり、瞬時遅延拡がり等）、ＱＣＬ（Quasi Co-location
）の少なくとも一つであってもよい。なお、物理チャネルの間の物理的特徴が同一であると想定することは、必ずしも、厳密に物理的特徴の値が同一であることが想定されることでなくてもよい。つまり、物理チャネルの間の物理的特徴が同一であると想定することは、物理チャネルの間の物理的特徴の平均値（例えば、時間、周波数等の領域で平均化された値等でもよい）が同一であることが想定されることであってもよい。送信電力は、ＥＰＲＥ（Energy Per Resource Element）によって定義されてもよい。１つの下りリンク物
理チャネルに対して、ＣＲＳが含まれるＯＦＤＭシンボルにおける下りリンク物理チャネルのＥＰＲＥ、および、ＣＲＳが含まれないＯＦＤＭシンボルにおける下りリンク物理チャネルのＥＰＲＥは異なってもよい。第１の物理チャネルと第２の物理チャネル間で送信電力が同じであることは、（ｉ）ＣＲＳが含まれるＯＦＤＭシンボルにおける第１の物理チャネルのＥＰＲＥ、および、ＣＲＳが含まれるＯＦＤＭシンボルにおける第２の物理チャネルのＥＰＲＥが同じであり、且つ、（ｉｉ）ＣＲＳが含まれないＯＦＤＭシンボルにおける第１の物理チャネルのＥＰＲＥ、および、ＣＲＳが含まれないＯＦＤＭシンボルにおける第２の物理チャネルのＥＰＲＥが同じであることを意味する。
【００６８】
以下に、物理的特徴の想定方法の一例を示す。
【００６９】
例えば、第１の物理チャネルと第２の物理チャネルが対応する送信アンテナポートが同一である場合、第１の物理チャネルと第２の物理チャネルの物理的特徴が同一である（と想定されてもよい）。
【００７０】
例えば、第１の物理チャネルと第２の物理チャネルが対応する送信アンテナポートが異なる場合、第１の物理チャネルと第２の物理チャネルの物理的特徴が異なる（と想定され
てもよい）。
【００７１】
例えば、第１の物理チャネルが対応する送信アンテナポートが、第２の物理チャネルが対応する送信アンテナポートと異なったとしても、第１の物理チャネルが対応する送信アンテナポートと第２の物理チャネルが対応する送信アンテナポートが特定の組み合わせである場合に、第１の物理チャネルと第２の物理チャネルの物理的特徴が同一である（と想定されてもよい）。
【００７２】
例えば、第１の物理チャネルと第２の物理チャネルのレイヤ数が同一の場合、第１の物理チャネルと第２の物理チャネルの物理的特徴が同一である（と想定されてもよい）。ここで、第１の物理チャネルで送信されるトランスポートブロック数は、第２の物理チャネルで送信されるトランスポートブロック数とは異なってもよい。
【００７３】
例えば、第１の物理チャネルと第２の物理チャネルのレイヤ数が異なる場合、第１の物理チャネルと第２の物理チャネルの物理的特徴が異なる（と想定されてもよい）。
【００７４】
例えば、第１の物理チャネルと第２の物理チャネルで送信されるトランスポートブロック数が同一の場合、第１の物理チャネルと第２の物理チャネルの物理的特徴が同一である（と想定されてもよい）。ここで、第１の物理チャネルで送信されるトランスポートブロックは、第２の物理チャネルで送信されるトランスポートブロックとは異なってもよい。また、第１の物理チャネルのレイヤ数は、第２の物理チャネルのレイヤ数とは異なってもよい。
【００７５】
例えば、第１の物理チャネルと第２の物理チャネルに含まれるトランスポートブロック数が異なる場合、第１の物理チャネルと第２の物理チャネルの物理的特徴が異なる（と想定されてもよい）。
【００７６】
例えば、第１の物理チャネルと第２の物理チャネルが対応するｓＴＴＩの長さが同一の場合、第１の物理チャネルと第２の物理チャネルの物理的特徴が同一である（と想定されてもよい）。
【００７７】
例えば、第１の物理チャネルと第２の物理チャネルが対応するｓＴＴＩの長さが異なる場合、第１の物理チャネルと第２の物理チャネルの物理的特徴が同一である（と想定されてもよい）。
【００７８】
例えば、第１の物理チャネルが含まれるサブフレームと第２の物理チャネルが含まれるサブフレームが同一である場合、第１の物理チャネルと第２の物理チャネルの物理的特徴が同一である（と想定されてもよい）。
【００７９】
例えば、第１の物理チャネルが含まれるサブフレームと第２の物理チャネルが含まれるサブフレームが異なる場合、第１の物理チャネルと第２の物理チャネルの物理的特徴が異なる（と想定されてもよい）。
【００８０】
例えば、第１の物理チャネルと第２の物理チャネルの物理パラメータの少なくとも一つが同一の場合、第１の物理チャネルと第２の物理チャネルの物理的特徴が異なる（と想定されてもよい）。
【００８１】
例えば、第１の物理チャネルと第２の物理チャネルの物理パラメータの少なくとも一つが異なる場合、第１の物理チャネルと第２の物理チャネルの物理的特徴が同一である（と想定されてもよい）。
【００８２】
第１の物理チャネルと第２の物理チャネルは、ｓＰＤＣＣＨであってもよい。第１の物理チャネルと第２の物理チャネルは、ｓＰＤＳＣＨであってもよい。第１の物理チャネルと第２の物理チャネルの一方はｓＰＤＣＣＨであり、且つ、他方はｓＰＤＳＣＨであってもよい。
【００８３】
以下では、端末装置１の具体的な動作例を説明する。
【００８４】
図１０は、端末装置１の動作分類の一例を示した表である。分類１は、ｓＰＤＳＣＨを復調するために用いられる参照信号のタイプを示す。分類２は、ｓＰＤＳＣＨのレイヤ数、ｓＰＤＳＣＨが対応する送信アンテナポート、および、ＵＲＳが対応するスクランブル識別子の少なくとも１つ（一部）のための通知方法を示す。分類３は、ｓＰＤＳＣＨに適用されるプレコーダを示す。分類４は、ｓＰＤＣＣＨを復調するために用いられる参照信号のタイプを示す。分類５は、ｓＰＤＣＣＨに適用されるプレコーダを示す。分類６は、ｓＰＤＳＣＨ間の物理的特徴の関係を示す。分類７は、ｓＰＤＳＣＨとｓＰＤＣＣＨの間の物理的特徴の関係を示す。追記１は、ｓＰＤＳＣＨに含まれるＴＢ数の候補（例えば、１または２）に関連するパラメータのセット（またはテーブル）が第１のｓＤＣＩに含まれることを示す。
【００８５】
例１は、（分類１）ｓＰＤＳＣＨを復調するために用いられる参照信号がタイプ２ＵＲＳであり、（分類２）ｓＰＤＳＣＨのレイヤ数またはｓＰＤＳＣＨが対応する送信アンテナポートまたはＵＲＳが対応するスクランブル識別子の少なくとも一つが第２のｓＤＣＩにより通知され、（分類３）ｓＰＤＳＣＨに適用されるプレコーダに関する情報が通知されず、（分類４）ｓＰＤＣＣＨを復調するために用いられる参照信号がタイプ２ＤＭＲＳであり、（分類５）ｓＰＤＣＣＨに適用されるプレコーダに関する情報が通知されない場合の動作例である。例１の分類６において、ｓＰＤＳＣＨの間の要素Ｙ１と要素Ｙ２の少なくとも一方の要素が同一である場合、ｓＰＤＳＣＨの間の物理的特徴が同一であると想定されてもよい（想定１−１）。また、例１の分類６において、ｓＰＤＳＣＨの間の要素Ｙ１と要素Ｙ２の少なくとも一方の要素が異なる場合、ｓＰＤＳＣＨの間の物理的特徴が異なると想定されてもよい（想定１−２）。また、例１の分類７において、ｓＰＤＣＣＨとｓＰＤＳＣＨの間の要素Ｙ１と要素Ｙ２の少なくとも一方が同一である場合、かつ、ｓＰＤＣＣＨがＵＳＳ（UE-specific Search Space）において検出される場合、ｓＰＤＣＣＨとｓＰＤＳＣＨの間の物理的特徴が同一であると想定されてもよい（想定４−１）。また、例１の分類７において、ｓＰＤＣＣＨとｓＰＤＳＣＨの間の要素Ｙ１と要素Ｙ２の少なくとも一方の要素が異なる場合、かつ、ｓＰＤＣＣＨがＵＳＳ（UE-specific Search Space）において検出される場合、ｓＰＤＣＣＨとｓＰＤＳＣＨの間の物理的特徴が異なると想定されてもよい（想定４−２）。ここで、想定１−１と想定１−２は、まとめて想定１とも呼称される。また、想定４−１と想定４−２は、まとめて想定４とも呼称される。
【００８６】
例２は、（分類１）ｓＰＤＳＣＨの復調に用いられる参照信号がタイプ２ＵＲＳであり、（分類２）ｓＰＤＳＣＨのレイヤ数またはｓＰＤＳＣＨが対応する送信アンテナポートまたはＵＲＳが対応するスクランブル識別子の少なくとも１つ（一部）が第２のｓＤＣＩにより通知され、（分類３）ｓＰＤＳＣＨに適用されるプレコーダに関する情報が通知されず、（分類４）ｓＰＤＣＣＨの復調に用いられる参照信号がＣＲＳであり、（分類５）ｓＰＤＣＣＨに適用されるプレコーダに関する情報が第１のｓＤＣＩで通知される、または、通知されない場合の動作例である。例２の分類６において、ｓＰＤＳＣＨの間の物理的特徴に対して、想定１が適用されてもよい。また、例２の分類７において、いかなる場合も、ｓＰＤＳＣＨとｓＰＤＣＣＨの間の物理的特徴が異なると想定されてもよい（想定５）。
【００８７】
例３は、（分類１）ｓＰＤＳＣＨの復調に用いられる参照信号がタイプ２ＵＲＳであり、（分類２）ｓＰＤＳＣＨのレイヤ数またはｓＰＤＳＣＨが対応する送信アンテナポートまたはＵＲＳが対応するスクランブル識別子の少なくとも１つ（一部）が第１のｓＤＣＩ、および／または、第２のｓＤＣＩにより通知され、（分類３）ｓＰＤＳＣＨに適用されるプレコーダに関する情報が通知されず、（分類４）ｓＰＤＣＣＨの復調に用いられる参照信号がタイプ２ＤＭＲＳであり、(分類５)ｓＰＤＣＣＨに適用されるプレコーダに関する情報が通知されない場合の動作例である。ここで、ｓＰＤＳＣＨに含まれるＴＢ数の候補（例えば、１または２）に関連するパラメータのセット（またはテーブル）が第１のｓＤＣＩに含まれてもよい。つまり、第１のｓＤＣＩは、第１のｓＤＣＩにより通知されるｓＴＴＩの設定情報が適用される範囲（例えば、１サブフレーム）において、送信されるｓＰＤＳＣＨに適用可能なパラメータのセットに関連する情報を含んでもよい。図１１は、ｓＰＤＳＣＨに適用可能なパラメータのセットの一例を示す図である。ｓＰＤＳＣＨに適用可能なパラメータのセットは、端末装置１にあらかじめ設定されてもよいし、上位層の信号により基地局装置３から通知されてもよい。端末装置１は、第２のｓＤＣＩにより通知される、物理チャネルに含まれるトランスポートブロック数、物理チャネルのレイヤ数に関する情報に基づき、物理チャネルに含まれるトランスポートブロック数、物理チャネルが対応する送信アンテナポート、ＵＲＳが対応するスクランブル識別子、物理チャネルのレイヤ数の情報のうちの少なくとも１つ（一部）を取得してもよい。例３の分類６において、ｓＰＤＳＣＨの間の要素Ｙ１、要素Ｙ２、要素Ｙ３の少なくとも１つ（一部）が同一である場合、ｓＰＤＳＣＨの間の物理的特徴が同一であると想定されてもよい（想定２−１）。また、例３の分類６において、ｓＰＤＳＣＨとｓＰＤＣＣＨの間の要素Ｙ１、要素Ｙ２、要素Ｙ３の少なくとも１つ（一部）が異なる場合、ｓＰＤＳＣＨの間の物理的特徴が異なると想定されてもよい（想定２−２）。また、例３の分類７において、ｓＰＤＳＣＨとｓＰＤＣＣＨの間の物理的特徴に対して、想定４が適用されてもよい。また、ｓＰＤＳＣＨに適用可能なパラメータのセットは、プレコーダに関する情報を含んでもよい。ここで、想定２−１と想定２−２は、まとめて想定２とも呼称される。
【００８８】
例４は、（分類１）ｓＰＤＳＣＨの復調に用いられる参照信号がタイプ２ＵＲＳであり、（分類２）ｓＰＤＳＣＨのレイヤ数またはｓＰＤＳＣＨが対応する送信アンテナポートまたはＵＲＳが対応するスクランブル識別子の少なくとも１つ（一部）が第１のｓＤＣＩ（ｓＰＤＳＣＨに適用可能なパラメータのセット）、および／または、第２のｓＤＣＩにより通知され、（分類３）ｓＰＤＳＣＨに適用されるプレコーダに関する情報が通知されず、（分類４）ｓＰＤＣＣＨの復調に用いられる参照信号がＣＲＳであり、（分類５）ｓＰＤＣＣＨに適用されるプレコーダに関する情報が第１のｓＤＣＩで通知される、または、通知されない場合の動作例である。例３の分類６において、ｓＰＤＳＣＨの間の物理的特徴に対して、想定２が適用されてもよい。また、例３の分類７において、ｓＰＤＳＣＨとｓＰＤＣＣＨの間の物理的特徴に対して、想定５が適用されてもよい。
【００８９】
例５は、（分類１）ｓＰＤＳＣＨの復調に用いられる参照信号がＣＲＳであり、（分類２）ｓＰＤＳＣＨのレイヤ数またはｓＰＤＳＣＨが対応する送信アンテナポートまたはＵＲＳが対応するスクランブル識別子の少なくとも１つ（一部）が第２のｓＤＣＩにより通知され、（分類３）ｓＰＤＳＣＨに適用されるプレコーダに関する情報が第２のｓＤＣＩにより通知され、（分類４）ｓＰＤＣＣＨの復調に用いられる参照信号がタイプ２ＤＭＲＳであり、（分類５）ｓＰＤＣＣＨに適用されるプレコーダに関する情報が通知されない場合の動作例である。例５の分類６において、第１のサブフレームタイプの場合、ｓＰＤＳＣＨのプレコーダに関する情報は、それぞれ第２のｓＤＣＩで通知されてもよい（想定３−１）。また、例５の分類６において、あるｓＰＤＳＣＨに対してのみプレコーダに関する情報が通知され、ｓＰＤＳＣＨの間の要素Ｙ５が同一である場合、ｓＰＤＳＣＨ間の物理的特徴が同一であると想定されてもよい（想定３−２）。また、例５の分類６において、あるｓＰＤＳＣＨに対してのみプレコーダに関する情報が通知され、ｓＰＤＳＣＨの
間の要素Ｙ５が異なる場合に、ｓＰＤＳＣＨの間の物理的特徴が異なると想定されてもよい（想定３−３）。例５の分類７において、第２のサブフレームタイプの場合、ｓＰＤＳＣＨとｓＰＤＣＣＨの間の物理的特徴に対して、想定１が適用されてもよい。ここで、想定３−１と想定３−２と想定３−３は、まとめて想定３とも呼称される。ここで、第１のサブフレームタイプにおいて、想定３が適用され、第２のサブフレームタイプにおいて、想定１が適用されることを含む端末装置１の想定を、想定７とも呼称する。第２のサブフレームタイプにおいて、想定４が適用されることを含む端末装置１の想定を、想定９とも呼称する。
【００９０】
第１のサブフレームタイプは、ＭＢＳＦＮサブフレームではないサブフレームであってもよい。第２のサブフレームタイプは、ＭＢＳＦＮサブフレームであってもよい。基地局装置３は、ＭＢＳＦＮサブフレームを示す情報を報知してもよい。端末装置１は、ＭＢＳＦＮサブフレームを示す情報を、基地局装置３から受信してもよい。  
【００９１】
なお、本発明の一態様に係るｓＰＤＳＣＨおよび／またはｓＰＤＣＣＨ用の参照信号がＣＲＳに設定されることは、第１のサブフレームタイプにおいて、ｓＰＤＳＣＨ、および／または、ｓＰＤＣＣＨの復調に用いられる参照信号がＣＲＳに設定されることを意味してもよい。つまり、本発明の一態様に係るｓＰＤＳＣＨ、および／または、ｓＰＤＣＣＨの復調に用いられる参照信号がＣＲＳに設定されることは、第１のサブフレームタイプ以外を含む第２のサブフレームタイプにおいて、ｓＰＤＳＣＨ、および／または、ｓＰＤＣＣＨの復調に用いられる参照信号がＣＲＳに設定されないことを意味してもよい。つまり、例５から例８において、第１のサブフレームタイプの場合、ｓＰＤＳＣＨの復調に用いられる参照信号はタイプ２ＵＲＳであり、ｓＰＤＣＣＨの復調に用いられる参照信号はタイプ２ＤＭＲＳであってもよい。  
【００９２】
例６は、（分類１）ｓＰＤＳＣＨの復調に用いられる参照信号がＣＲＳであり、（分類２）ｓＰＤＳＣＨのレイヤ数またはｓＰＤＳＣＨが対応する送信アンテナポートまたはＵＲＳが対応するスクランブル識別子の少なくとも１つ（一部）が第２のｓＤＣＩにより通知され、（分類３）ｓＰＤＳＣＨに適用されるプレコーダに関する情報が第２のｓＤＣＩにより通知され、（分類４）ｓＰＤＣＣＨの復調に用いられる参照信号がＣＲＳであり、（分類５）ｓＰＤＣＣＨに適用されるプレコーダに関する情報が第１のｓＤＣＩにより通知される、または、通知されない場合の動作例である。例６の分類６において、ｓＰＤＳＣＨの間の物理的特徴に対して、想定７が適用されてもよい。また、例６の分類７において、第１のサブフレームタイプの場合、ｓＰＤＣＣＨに適用されるプレコーダに関する情報は、第１のｓＤＣＩ、および／または、第２のｓＤＣＩで通知されてもよい（想定６）。また、例６の分類７において、ｓＰＤＣＣＨに適用されるプレコーダに関する情報が通知されない場合、ｓＰＤＳＣＨとｓＰＤＣＣＨの間の物理的特徴に対して想定４が適用されてもよい。ここで、第１のサブフレームタイプにおいて、想定６が適用され、第２のサブフレームタイプにおいて想定４が適用されることを含む端末装置１の想定を、想定１０とも呼称する。
【００９３】
例７は、（分類１）ｓＰＤＳＣＨの復調に用いられる参照信号がＣＲＳであり、（分類２）ｓＰＤＳＣＨのレイヤ数またはｓＰＤＳＣＨが対応する送信アンテナポートまたはＵＲＳが対応するスクランブル識別子の少なくとも１つ（一部）が第１のｓＤＣＩ（ｓＰＤＳＣＨに適用可能なパラメータのセット）、および／または、第２のｓＤＣＩにより通知され、（分類３）ｓＰＤＳＣＨに適用されるプレコーダに関する情報が第１のｓＤＣＩ（ｓＰＤＳＣＨに適用可能な情報のセット）、および／または、第２のｓＤＣＩにより通知され、（分類４）ｓＰＤＣＣＨの復調に用いられる参照信号がタイプ２ＤＭＲＳであり、（分類５）ｓＰＤＣＣＨに適用されるプレコーダに関する情報が通知されない場合の動作例である。例７の分類６において、第１のサブフレームタイプの場合、ｓＰＤＳＣＨの間
の物理的特徴に対して、想定３が適用されてもよい。また、例７の分類６において、第２のサブフレームタイプの場合、ｓＰＤＳＣＨの間の物理的特徴に対して、想定２が適用されてもよい。また、例７の分類７において、ｓＰＤＳＣＨおよびｓＰＤＣＣＨ間の物理的特徴に対して、想定９が適用されてもよい。ここで、第１のサブフレームタイプに対して想定３が適用され、第２のサブフレームタイプに対して、想定２が適用されることを含む端末装置１の想定を、想定８とも呼称する。
【００９４】
例８は、（分類１）ｓＰＤＳＣＨの復調に用いられる参照信号がＣＲＳであり、（分類２）ｓＰＤＳＣＨのレイヤ数またはｓＰＤＳＣＨが対応する送信アンテナポートまたはＵＲＳが対応するスクランブル識別子の少なくとも１つ（一部）が第１のｓＤＣＩ（ｓＰＤＳＣＨに適用可能なパラメータのセット）、および／または、第２のｓＤＣＩにより通知され、（分類３）ｓＰＤＳＣＨに適用されるプレコーダに関する情報が第１のｓＤＣＩ（ｓＰＤＳＣＨに適用可能なパラメータのセット）、および／または、第２のｓＤＣＩにより通知され、（分類４）ｓＰＤＣＣＨの復調に用いられる参照信号がＣＲＳであり、（分類５）ｓＰＤＣＣＨに適用されるプレコーダに関する情報が第１のｓＤＣＩで通知される、または、通知されない場合の動作例である。例８の分類６において、ｓＰＤＳＣＨの間の物理的特徴に対して、想定８が適用されてもよい。また、例８の分類７において、ｓＰＤＳＣＨとｓＰＤＣＣＨの間の物理的特徴に対して、想定１０が適用されてもよい。
【００９５】
（分類１）ｓＰＤＳＣＨの復調に用いられる参照信号がタイプ２ＵＲＳであり、（分類２）ｓＰＤＳＣＨのレイヤ数またはｓＰＤＳＣＨが対応する送信アンテナポートまたはＵＲＳが対応するスクランブル識別子の少なくとも１つ（一部）が第３のｓＤＣＩにより通知され、（分類４）ｓＰＤＣＣＨの復調に用いられる参照信号がタイプ２ＤＭＲＳである場合、端末装置１の動作は例１に基づいてもよい。
【００９６】
（分類１）ｓＰＤＳＣＨの復調に用いられる参照信号がタイプ２ＵＲＳであり、（分類２）ｓＰＤＳＣＨのレイヤ数またはｓＰＤＳＣＨが対応する送信アンテナポートまたはＵＲＳが対応するスクランブル識別子の少なくとも１つ（一部）が第３のｓＤＣＩにより通知され、（分類４）ｓＰＤＣＣＨの復調に用いられる参照信号がＣＲＳである場合、端末装置１の動作は例２に基づいてもよい。
【００９７】
（分類１）ｓＰＤＳＣＨの復調に用いられる参照信号がＣＲＳであり、（分類２）ｓＰＤＳＣＨのレイヤ数またはｓＰＤＳＣＨが対応する送信アンテナポートまたはＵＲＳが対応するスクランブル識別子の少なくとも１つ（一部）が第３のｓＤＣＩにより通知され、（分類３）ｓＰＤＳＣＨに適用されるプレコーダが第３のｓＤＣＩにより通知され、（分類４）ｓＰＤＣＣＨの復調に用いられる参照信号がタイプ２ＤＭＲＳである場合、端末装置１の動作は例５に基づいてもよい。
【００９８】
（分類１）ｓＰＤＳＣＨの復調に用いられる参照信号がＣＲＳであり、（分類２）ｓＰＤＳＣＨのレイヤ数またはｓＰＤＳＣＨが対応する送信アンテナポートまたはＵＲＳが対応するスクランブル識別子が第３のｓＤＣＩにより通知され、（分類３）ｓＰＤＳＣＨに適用されるプレコーダが第３のｓＤＣＩにより通知され、（分類４）ｓＰＤＣＣＨの復調に用いられる参照信号がＣＲＳである場合、端末装置１の動作は例６に基づいてもよい。
【００９９】
なお、第１のｓＤＣＩ、第２のｓＤＣＩ、および、第３のｓＤＣＩは、物理パラメータの少なくとも一つを含んでもよい。端末装置１は、第１のｓＤＣＩ、第２のｓＤＣＩ、および、第３のｓＤＣＩの少なくとも一つに基づき取得した物理パラメータに基づき、第１の物理チャネルと第２の物理チャネルの間の物理的特徴の関係を想定してもよい。
【０１００】
本実施形態は、基地局装置３に適用されてもよい。上記第１の例から第８の例は、基地
局装置３に適用されてもよい。例えば、端末装置１が物理チャネルの間の物理的特徴が同一であると想定する場合、基地局装置３は物理的特徴が同一である物理チャネルを送信しなければならない。例えば、端末装置１が物理チャネルの間の物理的特徴が異なると想定する場合、基地局装置３は物理的特徴が異なる物理チャネルを送信してもよいし、物理的特徴が同一である物理チャネルを送信してもよい。
【０１０１】
以下、本発明の端末装置１の装置構成について説明する。
【０１０２】
図６は、本実施形態における端末装置１の構成を示す概略ブロック図である。図示するように、端末装置１は、上位層処理部１０１、制御部１０３、受信部１０５、送信部１０７および、送受信アンテナ１０９を含んで構成される。上位層処理部１０１は、無線リソース制御部１０１１、スケジューリング部１０１３を含んで構成される。受信部１０５は、復号化部１０５１、復調部１０５３、多重分離部１０５５、無線受信部１０５７とチャネル測定部１０５９を含んで構成される。送信部１０７は、符号化部１０７１、ＰＵＳＣＨ生成部１０７３、ＰＵＣＣＨ生成部１０７５、多重部１０７７、無線送信部１０７９と上りリンク参照信号生成部１０７１１を含んで構成される。
【０１０３】
上位層処理部１０１は、ユーザの操作等により生成された上りリンクデータを、送信部１０７に出力する。また、上位層処理部１０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部１０１はＰＤＣＣＨで受信された下りリンク制御情報などに基づき、受信部１０５、および送信部１０７の制御を行なうために制御情報を生成し、制御部１０３に出力する。
【０１０４】
上位層処理部１０１が備える無線リソース制御部１０１１は、自装置の各種設定情報の管理を行なう。例えば、無線リソース制御部１０１１は、設定されたサービングセルの管理を行なう。また、無線リソース制御部１０１１は、上りリンクの各チャネルに配置される情報を生成し、送信部１０７に出力する。無線リソース制御部１０１１は、受信した下りリンクデータの復号に成功した場合には、ＡＣＫを生成し送信部１０７にＡＣＫを出力し、受信した下りリンクデータの復号に失敗した場合には、ＮＡＣＫを生成し、送信部１０７にＮＡＣＫを出力する。
【０１０５】
上位層処理部１０１が備えるスケジューリング部１０１３は、受信部１０５を介して受信した下りリンク制御情報を記憶する。スケジューリング部１０１３は、上りリンクグラントを受信したサブフレームから４つ後のサブフレームにおいて、受信された上りリンクグラントに従ってＰＵＳＣＨを送信するよう、制御部１０３を介して送信部１０７を制御する。スケジューリング部１０１３は、下りリンクグラントを受信したサブフレームにおいて、受信された下りリンクグラントに従ってＰＤＳＣＨを受信するよう、制御部１０３を介して受信部１０５を制御する。
【０１０６】
制御部１０３は、上位層処理部１０１からの制御情報に基づいて、受信部１０５、および送信部１０７の制御を行なう制御信号を生成する。制御部１０３は、生成した制御信号を受信部１０５、および送信部１０７に出力して受信部１０５、および送信部１０７の制御を行なう。
【０１０７】
受信部１０５は、制御部１０３から入力された制御信号に従って、送受信アンテナ１０９を介して基地局装置３から受信した受信信号を、分離、復調、復号し、復号した情報を上位層処理部１０１に出力する。
【０１０８】
無線受信部１０５７は、送受信アンテナ１０９を介して受信した下りリンクの信号を直交復調し、直交復調されたアナログ信号をディジタル信号に変換する。無線受信部１０５７は、ディジタル信号に対して高速フーリエ変換（Fast Fourier Transform: FFT）を行
い、周波数領域の信号を抽出する。
【０１０９】
多重分離部１０５５は、抽出した信号をＰＤＣＣＨ、ＰＤＳＣＨ、および下りリンク参照信号に、それぞれ分離する。多重分離部１０５５は、分離した下りリンク参照信号をチャネル測定部１０５９に出力する。
【０１１０】
復調部１０５３は、ＰＤＣＣＨ、および、ＰＤＳＣＨに対して、ＱＰＳＫ、１６ＱＡＭ（Quadrature Amplitude Modulation）、６４ＱＡＭ等の変調方式に対する復調を行ない
、復号化部１０５１へ出力する。
【０１１１】
復号化部１０５１は、下りリンクデータの復号を行い、復号した下りリンクデータを上位層処理部１０１へ出力する。チャネル測定部１０５９は、下りリンク参照信号から下りリンクの伝搬路の推定値を算出し、多重分離部１０５５へ出力する。チャネル測定部１０５９は、チャネル状態情報を算出し、尚且つ、チャネル状態情報を上位層処理部１０１へ出力する。
【０１１２】
チャネル測定部１０５９は、条件Ｙに基づき、第１の物理チャネルと第２の物理チャネルの間の物理的特徴が同一であると想定してもよい。また、チャネル測定部１０５９は、条件Ｙに基づき、第１の物理チャネルと第２の物理チャネルの間の物理的特徴が異なると想定してもよい。
【０１１３】
例えば、第１の物理チャネルと第２の物理チャネルの間の到来角度が同一であると想定される場合、端末装置１は、第１の物理チャネルと第２の物理チャネルに基づき、角度推定を行ってもよい。例えば、端末装置１は、第１の物理チャネルと第２の物理チャネルの角度推定値を平均化してもよい。また、例えば、第１の物理チャネルと第２の物理チャネルの間の到来角度が異なると想定される場合、端末装置１は、第１の物理チャネルに基づき第１の角度推定を行い、第２のチャネルに基づき第２の角度推定を行ってもよい。
【０１１４】
例えば、第１の物理チャネルと第２の物理チャネルの間のドップラシフト（または、ドップラ偏移、ドップラ拡がり、ドップラ広がり等）が同一であると想定される場合、端末装置１は、第１の物理チャネルと第２の物理チャネルに基づき、ドップラシフトを推定してもよい。例えば、端末装置１は、第１の物理チャネルと第２の物理チャネルのドップラシフト推定値を平均化してもよい。ドップラシフト推定値は、チャネル推定（例えば、２次元ＭＭＳＥ（Minimum Mean Square Error）等）に用いられてもよく、チャネル推定値
を向上させることができる。また、第１の物理チャネルと第２の物理チャネルの間のドップラシフトが異なると想定される場合、端末装置１は、第１の物理チャネルに基づき第１のドップラシフトを推定し、第２の物理チャネルに基づき第２のドップラシフトを推定してもよい。
【０１１５】
例えば、第１の物理チャネルと第２の物理チャネルの間の遅延スプレッドが同一であると想定される場合、端末装置１は、第１の物理チャネルと第２の物理チャネルに基づき、遅延スプレッドを推定してもよい。例えば、端末装置１は、第１の物理チャネルと第２の物理チャネルのドップラシフト推定値を平均化してもよい。ドップラシフト推定値は、チャネル推定等に用いられてもよく、チャネル推定値を向上させることができる。また、第１の物理チャネルと第２の物理チャネルの間の遅延スプレッドが異なると想定される場合、端末装置１は、第１の物理チャネルに基づき第１の遅延スプレッドを推定し、第２の物理チャネルに基づき第２の遅延スプレッドを推定してもよい。
【０１１６】
例えば、第１の物理チャネルと第２の物理チャネルの間の遅延拡がりが同一であると想定される場合、端末装置１は、第１の物理チャネルと第２の物理チャネルに基づき、遅延拡がりを推定してもよい。例えば、端末装置１は、第１の物理チャネルと第２の物理チャネルの遅延拡がり推定値を平均化してもよい。遅延拡がり推定値は、端末装置１と基地局装置３の間の通信路のフェージングを推定するために用いられてもよい。つまり、第１の物理チャネルと第２の物理チャネルの間の遅延拡がりが同一であると想定される場合、端末装置１は、例えば、第１の物理チャネルと第２の物理チャネルの周波数選択性フェージング推定量を平均化することができる。また、第１の物理チャネルと第２の物理チャネルの間の遅延拡がりが異なると想定される場合、端末装置１は、第１の物理チャネルに基づき第１の遅延拡がりを推定し、第２の物理チャネルに基づき第２の遅延拡がりを推定してもよい。
【０１１７】
例えば、第１の物理チャネルと第２の物理チャネルの間の受信電力が同一であると想定される場合、端末装置１は、第１の物理チャネルと第２の物理チャネルに基づき、受信電力を推定してもよい。例えば、端末装置１は、第１の物理チャネルと第２の物理チャネルの遅延拡がり推定値を平均化してもよい。端末装置１において推定される受信電力推定値は、チャネル推定、受信信号の電力調整に用いられるパワーアンプの設定、基地局装置３へのレポート等に用いられてもよい。また、第１の物理チャネルと第２の物理チャネルの間の受信電力が異なると想定される場合、端末装置１は、第１の物理チャネルに基づき第１の受信電力を推定し、第２の物理チャネルに基づき第２の受信電力を推定してもよい。
【０１１８】
例えば、第１の物理チャネルと第２の物理チャネルの間のプレコーダが同一であると想定される場合、端末装置１は、第１の物理チャネルと第２の物理チャネルに基づき、チャネル推定を実施してもよい。例えば、端末装置１は、第１の物理チャネルと第２の物理チャネルのチャネル推定値を平均化してもよい。また、第１の物理チャネルと第２の物理チャネルの間のプレコーダが異なると想定される場合、端末装置１は、第１の物理チャネルに基づき第１のチャネルを推定し、第２の物理チャネルに基づき第２のチャネルを推定してもよい。
【０１１９】
例えば、第１の物理チャネルのための第１の送信アンテナポートと第２の物理チャネルのための第２の送信アンテナポートがＱＣＬであると想定される場合、端末装置１は、第１のアンテナのセットから、第１の物理チャネルと第２の物理チャネルが送信されていると想定してもよい。また、例えば、第１の物理チャネルのための第１の送信アンテナポートと第２の物理チャネルのための第２の送信アンテナポートがＱＣＬであると想定されない場合、端末装置１は、第１のアンテナのセットから、第１の物理チャネルが送信され、第２のアンテナのセットから、第２の物理チャネルが送信されていると想定してもよい。ここで、第１の送信アンテナポートと第２の送信アンテナポートがＱＣＬであると想定されるとは、第１の送信アンテナポートから送信される第１の物理チャネルと第２の送信アンテナポートから送信される第２の物理チャネルが地理的に（または物理的に）同一のアンテナのセットから送信されることが想定されることであってもよい。ここで、アンテナのセットとは、複数のアンテナから構成されてもよいし、単一のアンテナから構成されてもよい。
【０１２０】
第１の物理チャネルと第２の物理チャネルが受信される時間が異なる場合、端末装置１は、第１の物理チャネルの物理的特徴に関する推定値と第２の物理チャネルの物理的特徴に関する推定値を用いて時間補間（例えば、線形補間、スプライン補間、ＭＭＳＥ補間等）を行ってもよい。
第１の物理チャネルと第２の物理チャネルが受信される周波数が異なる場合、端末装置１は、第１の物理チャネルと第２の物理チャネルの間の物理的特徴の想定は、条件Ｙに基づ
かなくてもよい。すなわち、端末装置１は、第１の物理チャネルと第２の物理チャネルが受信される周波数が異なる場合、条件Ｙに関わらず、第１の物理チャネルと第２の物理チャネルの物理的特徴が異なると想定してもよい。例えば、第１の物理チャネルと第２の物理チャネルが受信される周波数が異なる場合、端末装置１は、条件Ｚに基づき、第１の物理チャネルと第２の物理チャネルの間の物理的特徴を想定してもよい。ここで、条件Ｚとは、いかなる場合も、第１の物理チャネルと第２の物理チャネルの物理的特徴が異なると想定されることであってもよい。
【０１２１】
条件Ｚは、第１の物理的特徴に対して適用され、第２の物理的特徴に対して適用されなくてもよい。例えば、第１の物理的特徴は、プレコーダであり、第２の物理的特徴は、プレコーダ以外の物理的特徴の少なくとも１つ（一部）であってもよい。
【０１２２】
送信部１０７は、制御部１０３から入力された制御信号に従って、上りリンク参照信号を生成し、上位層処理部１０１から入力された上りリンクデータや上りリンク制御情報を符号化および変調し、ＰＵＣＣＨ、ＰＵＳＣＨ、および生成した上りリンク参照信号を多重し、送受信アンテナ１０９を介して基地局装置３に送信する。
【０１２３】
符号化部１０７１は、上位層処理部１０１から入力された上りリンク制御情報と上りリンクデータを符号化し、符号化ビットをＰＵＳＣＨ生成部および／またはＰＵＣＣＨ生成部に出力する。
【０１２４】
ＰＵＳＣＨ生成部１０７３は、符号化部１０７１から入力された符号化ビットを変調して変調シンボルを生成し、変調シンボルをＤＦＴすることによってＰＵＳＣＨ／ｓＰＵＳＣＨの信号を生成し、尚且つ、ＤＦＴされたＰＵＳＣＨ／ｓＰＵＳＣＨの信号を多重部１０７７へ出力する。
【０１２５】
ＰＵＣＣＨ生成部１０７５は、符号化部１０７１から入力された符号化ビット、および／または、ＳＲに基づいて、ＰＵＣＣＨ／ｓＰＵＣＣＨの信号を生成し、生成したＰＵＣＣＨ／ｓＰＵＣＣＨの信号を多重部１０７７へ出力する。
【０１２６】
上りリンク参照信号生成部１０７１１は上りリンク参照信号を生成し、生成した上りリンク参照信号を多重部１０７７へ出力する。
【０１２７】
多重部１０７５は、制御部１０３から入力された制御信号に従って、ＰＵＳＣＨ生成部１０７３から入力された信号および／またはＰＵＣＣＨ生成部か１０７５ら入力された信号、および／または、上りリンク参照信号生成部１０７１１から入力された上りリンク参照信号を、送信アンテナポート毎に上りリンクのリソースエレメントに多重する。
【０１２８】
無線送信部１０７７は、多重された信号を逆高速フーリエ変換（Inverse Fast Fourier
Transform: IFFT）して、ＳＣ−ＦＤＭＡ方式の変調を行い、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ１０９に出力して送信する。
【０１２９】
以下、本発明の基地局装置３の装置構成について説明する。
【０１３０】
図７は、本実施形態における基地局装置３の構成を示す概略ブロック図である。図示するように、基地局装置３は、上位層処理部３０１、制御部３０３、受信部３０５、送信部
３０７、および、送受信アンテナ３０９、を含んで構成される。また、上位層処理部３０１は、無線リソース制御部３０１１とスケジューリング部３０１３を含んで構成される。また、受信部３０５は、データ復調／復号部３０５１、制御情報復調／復号部３０５３、多重分離部３０５５、無線受信部３０５７とチャネル測定部３０５９を含んで構成される。また、送信部３０７は、符号化部３０７１、変調部３０７３、多重部３０７５、無線送信部３０７７と下りリンク参照信号生成部３０７９を含んで構成される。
【０１３１】
上位層処理部３０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部３０１は、受信部３０５、および送信部３０７の制御を行なうために制御情報を生成し、制御部３０３に出力する。
【０１３２】
上位層処理部３０１が備える無線リソース制御部３０１１は、下りリンクのＰＤＳＣＨに配置される下りリンクデータ、ＲＲＣシグナル、ＭＡＣ  ＣＥ（Control Element）を
生成し、又は上位ノードから取得し、ＨＡＲＱ制御部３０１３に出力する。また、無線リソース制御部３０１１は、端末装置１各々の各種設定情報の管理をする。例えば、無線リソース制御部３０１１は、端末装置１に設定したサービングセルの管理などを行なう。
【０１３３】
上位層処理部３０１が備えるスケジューリング部３０１３は、端末装置１に割り当てるＰＵＳＣＨやＰＵＣＣＨの無線リソースの管理をしている。スケジューリング部３０１３は、端末装置１にＰＵＳＣＨの無線リソースを割り当てた場合には、ＰＵＳＣＨの無線リソースの割り当てを示す上りリンクグラントを生成し、生成した上りリンクグラントを送信部３０７へ出力する。
【０１３４】
制御部３０３は、上位層処理部３０１からの制御情報に基づいて、受信部３０５、および送信部３０７の制御を行なう制御信号を生成する。制御部３０３は、生成した制御信号を受信部３０５、および送信部３０７に出力して受信部３０５、および送信部３０７の制御を行なう。
【０１３５】
受信部３０５は、制御部３０３から入力された制御信号に従って、送受信アンテナ３０９を介して端末装置１から受信した受信信号を分離、復調、復号し、復号した情報を上位層処理部３０１に出力する。
【０１３６】
無線受信部３０５７は、送受信アンテナ３０９を介して受信された上りリンクの信号を直交復調し、直交復調されたアナログ信号をディジタル信号に変換する。無線受信部３０５７は、ディジタル信号に対して高速フーリエ変換（Fast Fourier Transform: FFT）を
行い、周波数領域の信号を抽出し多重分離部３０５５に出力する。
【０１３７】
多重分離部１０５５は、無線受信部３０５７から入力された信号をＰＵＣＣＨ、ＰＵＳＣＨ、上りリンク参照信号などの信号に分離する。尚、この分離は、予め基地局装置３が無線リソース制御部３０１１で決定し、各端末装置１に通知した上りリンクグラントに含まれる無線リソースの割り当て情報に基づいて行なわれる。多重分離部３０５５は、チャネル測定部３０５９から入力された伝搬路の推定値から、ＰＵＣＣＨとＰＵＳＣＨの伝搬路の補償を行なう。また、多重分離部３０５５は、分離した上りリンク参照信号をチャネル測定部３０５９に出力する。
【０１３８】
多重分離部３０５５は、分離したＰＵＣＣＨとＰＵＳＣＨの信号から、上りリンクデータの変調シンボルと上りリンク制御情報（ＨＡＲＱ−ＡＣＫ）の変調シンボルを取得する。多重分離部３０５５は、ＰＵＳＣＨの信号から取得した上りリンクデータの変調シンボ
ルをデータ復調／復号部３０５１へ出力する。多重分離部３０５５は、ＰＵＣＣＨの信号またはＰＵＳＣＨの信号から取得した上りリンク制御情報（ＨＡＲＱ−ＡＣＫ）の変調シンボルを制御情報復調／復号部３０５３へ出力する。
【０１３９】
チャネル測定部３０５９は、多重分離部３０５５から入力された上りリンク参照信号から伝搬路の推定値、チャネルの品質などを測定し、多重分離部３０５５および上位層処理部３０１に出力する。
【０１４０】
データ復調／復号部３０５１は、多重分離部３０５５から入力された上りリンクデータの変調シンボルから上りリンクデータを復号する。データ復調／復号部３０５１は、復号された上りリンクデータを上位層処理部３０１へ出力する。
【０１４１】
制御情報復調／復号部３０５３は、多重分離部３０５５から入力されたＨＡＲＱ−ＡＣＫの変調シンボルからＨＡＲＱ−ＡＣＫを復号する。制御情報復調／復号部３０５３は、復号したＨＡＲＱ−ＡＣＫを上位層処理部３０１へ出力する。
【０１４２】
送信部３０７は、制御部３０３から入力された制御信号に従って、下りリンク参照信号を生成し、上位層処理部３０１から入力された下りリンク制御情報、下りリンクデータを符号化、および変調し、ＰＤＣＣＨ、ＰＤＳＣＨ、および下りリンク参照信号を多重して、送受信アンテナ３０９を介して端末装置１に信号を送信する。
【０１４３】
符号化部３０７１は、上位層処理部３０１から入力された下りリンク制御情報、および、下りリンクデータの符号化を行なう。変調部３０７３は、符号化部３０７１から入力された符号化ビットをＢＰＳＫ、ＱＰＳＫ、１６ＱＡＭ、６４ＱＡＭ等の変調方式で変調する。変調部３０７３は、変調シンボルにプリコーディングを適用してもよい。なお、プレコーディングとは、プレコーダが乗算される（適用される）ことであってもよい。第１の変調シンボルが送信される第１の物理チャネルに適用される第１のプレコーダと、第２の変調シンボルが送信される第２の物理チャネルに適用される第２のプレコーダが同一であることが端末装置１によって想定される場合、変調部３０７３は、第１の変調シンボルと第２の変調シンボルに対して同一のプレコーダを適用しなければならない。第１の変調シンボルが送信される第１の物理チャネルに適用される第１のプレコーダと、第２の変調シンボルが送信される第２の物理チャネルに適用される第２のプレコーダが異なることが端末装置１によって想定される場合、変調部３０７３は、第１の変調シンボルと第２の変調シンボルに対して同一のプレコーダを適用してもよいし、第１の変調シンボルと第２の変調シンボルに対して異なるプレコーダを適用してもよい。
【０１４４】
下りリンク参照信号生成部３０７９は下りリンク参照信号を生成する。多重部３０７５は、各チャネルの変調シンボルと下りリンク参照信号を多重し、送信シンボルを生成する。
【０１４５】
多重部３０７５は、送信シンボルにプレコーディングを適用してもよい。多重部３０７５が送信シンボルに適用するプレコーディングは、下りリンク参照信号、および／または、変調シンボルに対して適用されてもよい。また、下りリンク参照信号に適用されるプレコーディングと、変調シンボルに対して適用されるプレコーディングは、同一であってもよいし、異なってもよい。第１の送信シンボルが送信される第１の物理チャネルに適用される第１のプレコーダと、第２の送信シンボルが送信される第２の物理チャネルに適用される第２のプレコーダが同一であることが端末装置１によって想定される場合、多重部３０７５は、第１の送信シンボルと第２の送信シンボルに対して同一のプレコーダを適用しなければならない。第１の送信シンボルが送信される第１の物理チャネルに適用される第１のプレコーダと、第２の送信シンボルが送信される第２の物理チャネルに適用される第
２のプレコーダが異なることが端末装置１によって想定される場合、多重部３０７５は、第１の送信シンボルと第２の送信シンボルに対して同一のプレコーダを適用してもよいし、第１の送信シンボルと第２の送信シンボルに対して異なるプレコーダを適用してもよい。
【０１４６】
無線送信部３０７７は、多重された送信シンボルなどを逆高速フーリエ変換（Inverse Fast Fourier Transform: IFFT）して、時間シンボルを生成する。無線送信部３０７７は、時間シンボルに対してＯＦＤＭ方式の変調を行い、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、搬送波信号（Carrier signal, Carrier, RF signal等）を生成する。無線送信部３０７７は、搬送波信号に対して、電力増幅し、送受信アンテナ３０９に出力して送信する。第１の時間シンボルに適用されるＩＦＦＴのための第１の物理パラメータと第２の時間シンボルに適用されるＩＦＦＴのための第２の物理パラメータが同一であることが端末装置１によって想定される場合、無線送信部３０７７は、第１の物理パラメータと第２の物理パラメータを同一にしなければならない。第１の時間シンボルに適用されるＩＦＦＴのための第１の物理パラメータと第２の時間シンボルに適用されるＩＦＦＴのための第２の物理パラメータが異なることが端末装置１によって想定される場合、無線送信部３０７７は、第１の物理パラメータと第２の物理パラメータを同一にしてもよいし、異なってもよい。第１の搬送波信号が送信される第１の物理チャネルの第１の受信電力と第２の搬送波信号が送信される第２の物理チャネルの第２の受信電力が同一であることが端末装置１によって想定される場合、無線送信部３０７７は、第１の電力増幅値と第２の電力増幅値を同一にしなければならない。第１の搬送波信号が送信される第１の物理チャネルの第１の受信電力と第２の搬送波信号が送信される第２の物理チャネルの第２の受信電力が異なることが端末装置１によって想定される場合、無線送信部３０７７は、第１の電力増幅値と第２の電力増幅値を同一にしてもよいし、異なってもよい。
【０１４７】
端末装置１、および、基地局装置３に含まれる部のそれぞれは、回路として構成されてもよい。
【０１４８】
以下、本実施形態における、端末装置１および基地局装置３の種々の態様について説明する。
【０１４９】
（１）本実施形態の第１の態様は、端末装置１であって、第１の物理チャネル、前記第１の物理チャネルに関連する第１の参照信号、第２の物理チャネル、および、前記第２の物理チャネルに関連する第２の参照信号を受信する受信部と、前記第１の参照信号、および／または、前記第２の参照信号に基づいて前記第１の物理チャネルを復調し、前記第１の参照信号、および／または、前記第２の参照信号に基づいて前記第２の物理チャネルを復調する復調部と、を備え、前記復調部は、前記第１の物理チャネル、前記第２の物理チャネル、前記第１の参照信号、および、前記第２の参照信号の物理的特徴が同一であると想定するかどうかを、以下の第１の条件から第３の条件の一部、または、全部に基づいて判断する。
■第１の条件：前記第１の物理チャネル、および、前記第１の参照信号の送信のために用いられる送信アンテナポートのセットが、前記第２の物理チャネル、および、前記第２の参照信号の送信のために用いられる送信アンテナポートのセットと同じであるかどうか
■第２の条件：前記第１の物理チャネルのレイヤの数が、前記第２の物理チャネルのレイヤの数と同じであるかどうか
■第３の条件：前記第１の物理チャネルで送信されるトランスポートブロックの数が、前記第２の物理チャネルで送信されるトランスポートブロックの数と同じであるかどうか
（２）本実施形態の第１の態様において、前記物理的特徴は、送信電力を含む。
【０１５０】
（３）本実施形態の第１の態様において、前記物理的特徴は、プレコーダを含む。
【０１５１】
（４）本実施形態の第１の態様において、前記第１の物理チャネル、および、前記第１の参照信号は、ＯＦＤＭシンボルの第１のセットにおける第１の帯域にマップされ、前記第２の物理チャネル、および、前記第２の参照信号は、ＯＦＤＭシンボルの第２のセットにおける第２の帯域にマップされ、前記復調部は、前記第１の帯域、および、前記第２の帯域において同じプレコーダが適用されると想定しない。
【０１５２】
（５）本実施形態の第２の態様は、基地局装置３であって、第１の物理チャネル、および、第２の物理チャネルを生成する変調部と、前記第１の物理チャネルに関連する第１の参照信号、および、前記第２の物理チャネルに関連する第２の参照信号を生成する下りリンク参照信号生成部と、前記第１の物理チャネル、前記第１の参照信号、第２の物理チャネル、および、前記第２の参照信号を送信する無線送信部と、を備え、前記第１の物理チャネル、および、前記第２の物理チャネルに同一の送信電力を適用するか否かを、以下の第１の条件から第３の条件の一部、または、全部に基づいて判断する。
■第１の条件：前記第１の物理チャネル、および、前記第１の参照信号の送信のために用いられる送信アンテナポートのセットが、前記第２の物理チャネル、および、前記第２の参照信号の送信のために用いられる送信アンテナポートのセットと同じであるかどうか
■第２の条件：前記第１の物理チャネルのレイヤの数が、前記第２の物理チャネルのレイヤの数と同じであるかどうか
■第３の条件：前記第１の物理チャネルで送信されるトランスポートブロックの数が、前記第２の物理チャネルで送信されるトランスポートブロックの数と同じであるかどうか
（６）本実施形態の第２の態様において、前記第１の物理チャネル、および、前記第２の物理チャネルに同一のプレコーダを適用するか否かを、前記第１の条件から前記第３の条件の、一部、または、全部に基づいて判断する
（７）本実施形態の第３の態様は、端末装置１の通信方法であって、第１の物理チャネル、前記第１の物理チャネルに関連する第１の参照信号、第２の物理チャネル、および、前記第２の物理チャネルに関連する第２の参照信号を受信し、前記第１の参照信号、および／または、前記第２の参照信号に基づいて前記第１の物理チャネルを復調し、前記第１の参照信号、および／または、前記第２の参照信号に基づいて前記第２の物理チャネルを復調し、前記第１の物理チャネル、前記第２の物理チャネル、前記第１の参照信号、および、前記第２の参照信号の物理的特徴が同一であると想定するかどうかを、以下の第１の条件から第３の条件の一部、または、全部に基づいて判断する。
■第１の条件：前記第１の物理チャネル、および、前記第１の参照信号の送信のために用いられる送信アンテナポートのセットが、前記第２の物理チャネル、および、前記第２の参照信号の送信のために用いられる送信アンテナポートのセットと同じであるかどうか
■第２の条件：前記第１の物理チャネルのレイヤの数が、前記第２の物理チャネルのレイヤの数と同じであるかどうか
■第３の条件：前記第１の物理チャネルで送信されるトランスポートブロックの数が、前記第２の物理チャネルで送信されるトランスポートブロックの数と同じであるかどうか
（８）本実施形態の第３の態様において、前記物理的特徴は、送信電力を含む。
【０１５３】
（８）本実施形態の第３の態様において、前記物理的特徴は、プレコーダを含む。
【０１５４】
（８）本実施形態の第３の態様において、前記第１の物理チャネル、および、前記第１の参照信号は、ＯＦＤＭシンボルの第１のセットにおける第１の帯域にマップされ、
前記第２の物理チャネル、および、前記第２の参照信号は、ＯＦＤＭシンボルの第２のセットにおける第２の帯域にマップされ、
前記第１の帯域、および、前記第２の帯域において同じプレコーダが適用されると想定しない。
【０１５５】
（８）本実施形態の第４の態様は、端末装置１に実装される集積回路であって、第１の物理チャネル、前記第１の物理チャネルに関連する第１の参照信号、第２の物理チャネル、および、前記第２の物理チャネルに関連する第２の参照信号を受信する受信回路と、前記第１の参照信号、および／または、前記第２の参照信号に基づいて前記第１の物理チャネルを復調し、前記第１の参照信号、および／または、前記第２の参照信号に基づいて前記第２の物理チャネルを復調する復調回路と、を備え、前記復調回路は、前記第１の物理チャネル、前記第２の物理チャネル、前記第１の参照信号、および、前記第２の参照信号の物理的特徴が同一であると想定するかどうかを、以下の第１の条件から第３の条件の一部、または、全部に基づいて判断する。
■第１の条件：前記第１の物理チャネル、および、前記第１の参照信号の送信のために用いられる送信アンテナポートのセットが、前記第２の物理チャネル、および、前記第２の参照信号の送信のために用いられる送信アンテナポートのセットと同じであるかどうか
■第２の条件：前記第１の物理チャネルのレイヤの数が、前記第２の物理チャネルのレイヤの数と同じであるかどうか
■第３の条件：前記第１の物理チャネルで送信されるトランスポートブロックの数が、前記第２の物理チャネルで送信されるトランスポートブロックの数と同じであるかどうか
（８）本実施形態の第４の態様において、前記物理的特徴は、送信電力を含む。
【０１５６】
（８）本実施形態の第４の態様において、前記物理的特徴は、プレコーダを含む。
【０１５７】
（８）本実施形態の第４の態様において、前記第１の物理チャネル、および、前記第１の参照信号は、ＯＦＤＭシンボルの第１のセットにおける第１の帯域にマップされ、前記第２の物理チャネル、および、前記第２の参照信号は、ＯＦＤＭシンボルの第２のセットにおける第２の帯域にマップされ、前記復調回路は、前記第１の帯域、および、前記第２の帯域において同じプレコーダが適用されると想定しない。
【０１５８】
これにより、端末装置は効率的に下りリンク信号を受信することができる。また、基地局装置は効率的に下りリンク信号を送信することができる。
【０１５９】
本発明に関わる基地局装置３、および端末装置１で動作するプログラムは、本発明に関わる上記実施形態の機能を実現するように、ＣＰＵ（Central Processing Unit）等を制
御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤ
Ｄ（Hard Disk Drive）に格納され、必要に応じてＣＰＵによって読み出し、修正・書き
込みが行われる。
【０１６０】
尚、上述した実施形態における端末装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０１６１】
尚、ここでいう「コンピュータシステム」とは、端末装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０１６２】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１６３】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの少なくとも一つを備えてもよい。装置グループとして、基地局装置３の一通りの各機能または各機能ブロックを有していればよい。また、上述した実施形態に関わる端末装置１は、集合体としての基地局装置と通信することも可能である。
【０１６４】
また、上述した実施形態における基地局装置３は、ＥＵＴＲＡＮ（Evolved Universal Terrestrial Radio Access Network）であってもよい。また、上述した実施形態における基地局装置３は、ｅＮｏｄｅＢに対する上位ノードの機能の少なくとも一つを有してもよい。
【０１６５】
また、上述した実施形態における端末装置１、基地局装置３の一部、又は全部を典型的には集積回路であるＬＳＩとして実現してもよいし、チップセットとして実現してもよい。端末装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０１６６】
また、上述した実施形態では、通信装置の一例として端末装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０１６７】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０１６８】
１（１Ａ、１Ｂ、１Ｃ）  端末装置
３  基地局装置
１０１  上位層処理部
１０３  制御部
１０５  受信部
１０７  送信部
１０９  送受信アンテナ
１０１１  無線リソース制御部
１０１３  スケジューリング部
１０５１  復号化部
１０５３  復調部
１０５５  多重分離部
１０５７  無線受信部
１０５９  チャネル測定部
１０７１  符号化部
１０７３  ＰＵＳＣＨ生成部
１０７５  ＰＵＣＣＨ生成部
１０７７  多重部
１０７９  無線送信部
１０７１１  上りリンク参照信号生成部
３０１  上位層処理部
３０３  制御部
３０５  受信部
３０７  送信部
３０９  送受信アンテナ
３０１１  無線リソース制御部
３０１３  スケジューリング部
３０５１  データ復調／復号部
３０５３  制御情報復調／復号部
３０５５  多重分離部
３０５７  無線受信部
３０５９  チャネル測定部
３０７１  符号化部
３０７３  変調部
３０７５  多重部
３０７７  無線送信部
３０７９  下りリンク参照信号生成部
８０００  送信プロセス
８００１  符号化処理部
８００２  スクランブル処理部
８００３  変調マップ処理部
８００４  レイヤマップ処理部
８００５  送信プレコード処理部
８００６  プレコード処理部
８００７  リソースエレメントマップ処理部
８００８  ベースバンド信号生成処理部
５００  ＰＤＣＣＨ
５０１  ＥＰＤＣＣＨ
５０２  ＰＤＳＣＨ
５０３、５０５、５０７、５０９  ｓＰＤＣＣＨ
５０４、５０６、５０８、５１０  ｓＰＤＳＣＨ
５１１  ＥＰＤＣＣＨ帯域幅
５１２  ｓＴＴＩ帯域幅
５１３  ＰＤＣＣＨの長さ（シンボル数）
５１４、５１６、５１８、５２０  ｓＰＤＣＣＨの長さ（シンボル数）
５１５、５１７、５１９、５２１  ｓＰＤＳＣＨの長さ（シンボル数）
５２２、５２３、５２４、５２５  ｓＴＴＩの長さ（シンボル数）
５２６  ＥＰＤＣＣＨの長さ（シンボル数）
【図１】
2019135800.tif 000003
【図２】
2019135800.tif 000004
【図３】
2019135800.tif 000005
【図４】
2019135800.tif 000006
【図５】
2019135800.tif 000007
【図６】
2019135800.tif 000008
【図７】
2019135800.tif 000009
【図８】
2019135800.tif 000010
【図９】
2019135800.tif 000011
【図１０】
2019135800.tif 000012
【図１１】
2019135800.tif 000013